(57)【要約】【課題】表示部の視認性に優れた水栓装置の提供。【解決手段】本発明に係る水栓装置は、ボタン部材１４とカバー部２０とを備えている。カバー部２０が表示開口部ｗｄ１を有している。表示開口部ｗｄ１に透明性部材Ｔ１が配置されている。表示開口部ｗｄ１が、第一対向面Ｆ１を有している。透明性部材Ｔ１は、第一対向面Ｆ１に対向する第二対向面Ｆ２を有している。ボタン部材１４は、表示部ｈ１を有している。表示部ｈ１は、第一の色を呈する第一外観部ｃ１と、第二の色を呈する第二外観部ｃ２とを有している。ボタン部材１４が第一位置Ｐ１にあるとき、第一外観部ｃ１が表示開口部ｗｄ１から視認できる位置にある。ボタン部材１４が第二位置Ｐ２にあるとき、第二外観部ｃ２が表示開口部ｗｄ１から視認できる位置にある。第一対向面Ｆ１は、表示部ｈ１からの光を反射しうるミラー機能部である。【選択図】図１８
2014043728.tif 000002
【特許請求の範囲】
【請求項１】
外部からの操作により、少なくとも第一位置と第二位置とを採りうるボタン部材と、上記ボタン部材の少なくとも一部を覆うカバー部とを備えており、
上記ボタン部材が上記第一位置にあるとき、第一の吐出状態が実現可能であり、
上記ボタン部材が上記第二位置にあるとき、第二の吐出状態が実現可能であり、
上記カバー部が表示開口部を有しており、この表示開口部に透明性部材が配置されており、
上記表示開口部が、第一対向面を有しており、
上記透明性部材が、上記第一対向面に対向する第二対向面を有しており、
上記ボタン部材が、表示部を有しており、
上記表示部が、第一の色を呈する第一外観部と、第二の色を呈する第二外観部とを有しており、
上記ボタン部材が上記第一位置にあるとき、上記第一外観部が上記表示開口部から視認できる位置にあり、
上記ボタン部材が上記第二位置にあるとき、上記第二外観部が上記表示開口部から視認できる位置にあり、
上記第一対向面が、上記表示部からの光を反射しうるミラー機能部である水栓器具。
【請求項２】
上記第一対向面の少なくとも一部が、第三の色を呈しており、
上記第一の色の明度指数がＬ１とされ、上記第二の色の明度指数がＬ２とされ、上記第三の色の明度指数がＬ３とされ、上記Ｌ１と上記Ｌ２のうちの大きい方の明度指数がＬｓとされるとき、
明度指数Ｌｓが明度指数Ｌ３よりも大きく、且つ、明度指数Ｌ１と明度指数Ｌ２とは相違している請求項１に記載の水栓器具。
【請求項３】
上記第一の色と上記第二の色との色差ΔＥが３０以上である請求項１又は２に記載の水栓装置。
【請求項４】
上記明度指数Ｌｓが６０以上である請求項１から３のいずれかに記載の水栓装置。
【請求項５】
上記第一対向面の少なくとも一部が、金属光沢を有している請求項１に記載の水栓装置。
【請求項６】
外部からの操作による上記ボタン部材の移動方向が方向Ｘとされ、この方向Ｘに対して垂直な方向が方向Ｙとされるとき、
上記透明性部材が、上記方向Ｙに延びる第一透明部と、この第一透明部に繋がって上記方向Ｘ前方に延びる第二透明部とを有しており、
上記第一透明部の後方に上記ミラー機能部が位置している請求項１から５のいずれかに記載の水栓装置。
【請求項７】
上記第二透明部の前面が外部に露出している請求項６に記載の水栓装置。
【請求項８】
上記透明性部材と上記カバー部とが、２色成形法により成形されており、
上記カバー部が、上記第三の色を呈する樹脂により形成されている請求項２に記載の水栓器具。
【請求項９】
上記カバー部を着脱可能に保持するカバー保持部を更に備えており、
上記カバー部が上記カバー保持部から取り外された状態において、上記第一外観部又は上記第二外観部のうち上記明度指数Ｌｓを呈する部分が露出する請求項１から８のいずれかに記載の水栓装置。
【発明の詳細な説明】
【技術分野】
【０００１】
本発明は、水栓装置に関する。
【背景技術】
【０００２】
吐水の切り替えが可能な水栓が知られている。更に、切り替えの状態を表示しうる水栓が提案されている。特許第４２９８３１９号公報は、プッシュボタンのプッシュ操作により回転部材が回転するように構成され、このプッシュ操作により吐水状態が切り替わるとともに、回転部材の回転に伴って異なった表示部が表示窓に現れる吐水装置を開示する。
【先行技術文献】
【特許文献】
【０００３】
【特許文献１】特許第４２９８３１９号公報
【発明の概要】
【発明が解決しようとする課題】
【０００４】
表示により、吐出状態の判別が容易とされる。より視認性に優れた表示が好ましい。
【０００５】
本発明の目的は、表示部の視認性に優れた水栓装置の提供にある。    
【課題を解決するための手段】
【０００６】
本発明に係る水栓器具の好ましい態様は、外部からの操作により、少なくとも第一位置と第二位置とを採りうるボタン部材と、上記ボタン部材の少なくとも一部を覆うカバー部とを備えている。上記ボタン部材が上記第一位置にあるとき、第一の吐出状態が実現可能である。上記ボタン部材が上記第二位置にあるとき、第二の吐出状態が実現可能である。上記カバー部が表示開口部を有しており、この表示開口部に透明性部材が配置されている。上記表示開口部が、第一対向面を有している。上記透明性部材が、上記第一対向面に対向する第二対向面を有している。上記ボタン部材が、表示部を有している。上記表示部が、第一の色を呈する第一外観部と、第二の色を呈する第二外観部とを有している。上記ボタン部材が上記第一位置にあるとき、上記第一外観部が上記表示開口部から視認できる位置にある。上記ボタン部材が上記第二位置にあるとき、上記第二外観部が上記表示開口部から視認できる位置にある。上記第一対向面が、上記表示部からの光を反射しうるミラー機能部である。
【０００７】
好ましくは、上記第一対向面の少なくとも一部が、第三の色を呈している。上記第一の色の明度指数がＬ１とされ、上記第二の色の明度指数がＬ２とされ、上記第三の色の明度指数がＬ３とされる。上記Ｌ１と上記Ｌ２のうちの大きい方の明度指数がＬｓとされる。好ましくは、明度指数Ｌｓが明度指数Ｌ３よりも大きい。好ましくは、明度指数Ｌ１と明度指数Ｌ２とは相違している。
【０００８】
好ましくは、上記第一の色と上記第二の色との色差ΔＥが３０以上である。
【０００９】
好ましくは、上記明度指数Ｌｓが６０以上である。
【００１０】
好ましくは、上記第一対向面の少なくとも一部が、金属光沢を有している。
【００１１】
外部からの操作による上記ボタン部材の移動方向が方向Ｘとされ、この方向Ｘに対して垂直な方向が方向Ｙとされる。好ましくは、上記透明性部材は、上記方向Ｙに延びる第一透明部と、この第一透明部に繋がって上記方向Ｘ前方に延びる第二透明部とを有している。好ましくは、上記第一透明部の後方に上記ミラー機能部が位置している。
【００１２】
好ましくは、上記第二透明部の前面が外部に露出している。
【００１３】
好ましくは、上記透明性部材と上記カバー部とが、２色成形法により成形されている。好ましくは、上記カバー部が、上記第三の色を呈する樹脂により形成されている。
【００１４】
好ましくは、上記水栓装置は、上記カバー部を着脱可能に保持するカバー保持部を更に備えている。好ましくは、上記カバー部が上記カバー保持部から取り外された状態において、上記第一外観部又は上記第二外観部のうち上記明度指数Ｌｓを呈する部分が露出する。
【発明の効果】
【００１５】
表示部の視認性に優れた水栓装置が実現されうる。
【図面の簡単な説明】
【００１６】
【図１】図１は、本発明の第一実施形態に係る水栓装置の斜視図である。
【図２】図２は、図１の水栓装置の側面図である。
【図３】図３は、ボタン部材及びカバー部が示された分解斜視図である。
【図４】図４は、ボタン部材近傍の正面図である。
【図５】図５は、図４からカバー部が除かれた状態の図である。
【図６】図６は、図５からボタン部材が除かれた状態の図である。
【図７】図７は、吐出部の底面図である。
【図８】図８は、吐出部の側面図である。
【図９】図９は、図８からカバー部が除かれた状態の側面図である。
【図１０】図１０は、図９からボタン部材が除かれた状態の側面図である。
【図１１】図１１は、吐出部の平面図である。
【図１２】図１２は、吐出部の断面図である。
【図１３】図１３は、吐出部の分解斜視図である。
【図１４】図１４は、図１３の一部拡大図である。
【図１５】図１５は、吐出部の一部が示された断面図である。図１５では、ボタン部材が第１位置にある。
【図１６】図１６は、吐出部の一部が示された断面図である。図１６では、ボタン部材が第２位置にある。
【図１７】図１７は、吐出部の一部が示された断面図である。図１７では、ボタン部材が第３位置にある。
【図１８】図１８（ａ）は、ボタン部材が第１位置にあるときの断面図である。図１８（ｂ）は、ボタン部材が第２位置にあるときの断面図である。
【図１９】図１９は、第一実施形態に係る透明性部材の拡大断面図である。
【図２０】図２０（ａ）及び図２０（ｂ）は、第二実施形態の断面図である。図２０（ａ）は、ボタン部材が第１位置にあるときの断面図である。図２０（ｂ）は、ボタン部材が第２位置にあるときの断面図である。
【図２１】図２１は、カバー部２０の着脱について説明するための断面図である。
【図２２】図２２は、２色成形について説明するための断面図である。
【図２３】図２３は、メッキ工程を説明するための断面図である。
【図２４】図２４（ａ）及び図２４（ｂ）は、第三実施形態を示す断面図である。
【図２５】図２５は、第三実施形態に係る透明性部材の断面図である。
【図２６】図２６（ａ）及び図２６（ｂ）は、第四実施形態を示す断面図である。
【図２７】図２７は、第四実施形態に係る透明性部材の断面図である。
【図２８】図２８は、第五実施形態に係るボタン部材及びカバー部の斜視図である。
【図２９】図２９は、第五実施形態の断面図である。
【図３０】図３０（ａ）は、第六実施形態の断面図である。図３０（ｂ）は、第七実施形態の断面図である。図３０（ｃ）は、第八実施形態の断面図である。
【図３１】図３１（ａ）は、透明性部材に設置されうる凸部の一例を示す斜視図である。図３１（ｂ）は、透明性部材に設置されうる凹部の一例を示す斜視図である。
【発明を実施するための形態】
【００１７】
以下、適宜図面が参照されつつ、好ましい実施形態に基づいて本発明が詳細に説明される。
【００１８】
図１は、本発明の一実施形態に係る水栓装置２の斜視図であり、図２は水栓装置２の側面図である。水栓装置２は、流し台（図示されず）に取り付けられている。図１及び図２では、視認されない部分、すなわち、流し台の内部にある部分の記載は省略されている。なお、水栓装置２の設置場所として、流し台の他、洗面台及び浴室が例示される。
【００１９】
図示しないが、水栓装置２を有する水栓器具は、湯導入管及び水導入管を有する。湯導入管は、例えば、給湯器から延びる配管に接続される。水導入管は、例えば、給湯器を経ることなく、上水道の配管に接続される。
【００２０】
水栓装置２は、本体部４、レバーハンドル６及び吐出部８を有する。水栓装置２は、いわゆるシングルレバー式水栓である。レバーハンドル６の左右回動により吐水の温度が調節されうる。レバーハンドル６の上下回動により吐水量が調節されうる。本体部４の内部には、温度調節及び吐水量の調節を可能とする弁機構が内蔵されている。この弁機構は公知である。
【００２１】
水栓装置２では、吐出部８が本体部４に固定されているが、他の形態も可能である。例えば、吐出部８が本体部４に対して着脱可能なシャワーヘッドであってもよい。
【００２２】
図示されないが、上記湯導入管には、加熱された湯が導入される。加熱は、給湯器によりなされる。上記水導入管には、加熱されていない水が導入される。上記弁機構により、湯と水との混合比率が調整される。この混合比率により、吐水の温度調節が達成される。なお以下では、加熱された湯、加熱されていない水及びこれらの混合液体が、単に「水」とも称される。
【００２３】
吐出部８は、導水部１０、切替部１２、ボタン部材１４、水形調整部１６及び吐出口１８を有する。本実施形態では、ボタン部材１４は、押しボタンである。
【００２４】
吐出部８は、２つの流路を有している。これら２つの流路の区別を明確とする観点から、本願では、流路Ａ及び流路Ｂとの称呼が用いられる。水栓装置２では、流路Ａは原水流路であり、流路Ｂは浄水流路である。ただし、各流路の役割は限定されない。例えば、流路Ａは浄水流路であり、流路Ｂは原水流路であってもよい。また、例えば、２つの流路により温水と冷水とが切り替えられても良い。また、吐出部８は、３つ以上の流路を有していても良い。
【００２５】
吐水の区別を明確とする観点から、本願では、吐水Ｗａ及び吐水Ｗｂとの称呼が用いられる。吐水Ｗａは、流路Ａからの水である。吐水Ｗｂは、流路Ｂからの水である。水栓装置２では、吐水Ｗａは原水であり、吐水Ｗｂは浄水である。
【００２６】
吐出部８は、カバー部２０とカバー保持部２３と切替機構とを有している。切替機構の詳細については、後述される。なお、カバー部２０は、カバー保持部２３と一体であってもよい。カバー部２０は、吐出部８の他の部分と一体であってもよい。
【００２７】
図３は、ボタン部材１４、カバー部２０等の斜視図である。ボタン部材１４は、押圧面２２と側面部２４とを有している。押圧面２２は平面である。押圧面２２は円形である。押圧面２２の形状は限定されない。カバー部２０は、側面部２４の少なくとも一部を覆っている。カバー部２０は、カバー保持部２３に着脱可能に取り付けられている。なお、カバー保持部２３は、第二のカバー部２１（後述）と組み合わされている。
【００２８】
ボタン部材１４は、切替ボタンとして機能する。流路を切り替える際には、押圧面２２が押圧される。ボタン部材１４を押圧するごとに、流路Ａと流路Ｂとの間の切替がなされる。後述するように、上記切替機構は、オルタネイト動作方式の押しボタン機構を有している。この押しボタン機構により、ボタン部材１４の押しボタン動作が実現されている。押圧操作するごとに、ボタン部材１４は第１位置Ｐ１と第２位置Ｐ２とに相互移行する。
【００２９】
カバー部２０に、ボタン部材１４が挿入されている。カバー部２０の内部で、ボタン部材１４が移動しうる。カバー部２０は、側面部２４の少なくとも一部を覆っている。カバー部２０は、円筒状である。カバー部２０の内面形状は、側面部２４の形状に対応している。側面部２４とカバー部２０との隙間は小さいため、水等の侵入が抑制されている。
【００３０】
カバー部２０は、表示開口部ｗｄ１を有している。後述される断面図に示されるように、表示開口部ｗｄ１は貫通した開口である。この表示開口部ｗｄ１に、透明性部材Ｔ１が設置されている。透明性部材Ｔ１は、表示開口部ｗｄ１を塞いでいる。更に、透明性部材Ｔ１は、表示開口部ｗｄ１よりも前方に延びている。透明性部材Ｔ１及び表示開口部ｗｄ１についての詳細は後述される。
【００３１】
図３が示すように、ボタン部材１４は、表示部ｈ１を有する。表示部ｈ１は側面部２４の一部である。表示部ｈ１は、第一外観部ｃ１と第二外観部ｃ２とを有する。第一外観部ｃ１は、側面部２４の一部である。第二外観部ｃ２は、側面部２４の一部である。第一外観部ｃ１のＸ方向位置と、第二外観部ｃ２のＸ方向位置とは相違する。第一外観部ｃ１と第二外観部ｃ２とは外観が相違する。第一外観部ｃ１と第二外観部ｃ２とは色が相違する。例えば、第一外観部ｃ１が黒であり、第二外観部ｃ２が青である。青は、使用者に、「浄水」のイメージを与えうる。
【００３２】
ボタン部材１４が第一位置Ｐ１にあるとき、カバー部２０は、第二外観部ｃ２を覆っている。ボタン部材１４が第一位置Ｐ１にあるとき、第二外観部ｃ２は外部から視認されない。一方、ボタン部材１４が第一位置Ｐ１にあるとき、カバー部２０は、第一外観部ｃ１を覆っていない。ボタン部材１４が第一位置Ｐ１にあるとき、第一外観部ｃ１は表示開口部ｗｄ１の内側に位置する。ボタン部材１４が第一位置Ｐ１にあるとき、第一外観部ｃ１は、透明性部材Ｔ１を通して、外部から視認される。これらの表示の詳細については、後述される。
【００３３】
ボタン部材１４が第一位置Ｐ２にあるとき、カバー部２０は、第一外観部ｃ１を覆っている。ボタン部材１４が第一位置Ｐ２にあるとき、第一外観部ｃ１は外部から視認されない。一方、ボタン部材１４が第一位置Ｐ２にあるとき、カバー部２０は、第二外観部ｃ２を覆っていない。ボタン部材１４が第一位置Ｐ２にあるとき、第二外観部ｃ２は表示開口部ｗｄ１の内側に位置する。ボタン部材１４が第一位置Ｐ２にあるとき、第二外観部ｃ２は、透明性部材Ｔ１を通して、外部から視認される。これらの表示の詳細については、後述される。
【００３４】
ボタン部材１４の位置に関わらず、カバー部２０又は透明性部材Ｔ１は、第一外観部ｃ１及び第二外観部ｃ２を覆っている。よって、使用者が第一外観部ｃ１及び第二外観部ｃ２に触れることがない。第一外観部ｃ１及び第二外観部ｃ２は、汚れにくい。
【００３５】
透明性部材Ｔ１の透明度は限定されない。例えば、透明性部材Ｔ１は半透明であってもよい。透明性部材Ｔ１は着色されていてもよい。
【００３６】
図４は、ボタン部材１４近傍の正面図である。図５は、図４からカバー部２０が除かれた図である。図６は、図５からボタン部材１４が除かれた図である。
【００３７】
水形調整部１６は、吐出される水の形状を変化させうる。水形調整部１６は、調節レバー２６を有する。調節レバー２６を操作することで、水形が変化しうる。調節レバー２６の操作により、シャワー水形、ストレート水形及びそれらの中間的な水形が選択されうる。
【００３８】
図７は、吐出部８の底面図である。図８は吐出部８の側面図である。図９は、図８からカバー部２０、２１が除かれた側面図である。図１０は、図９からボタン部材１４が除かれた側面図である。図１１は、吐出部８の平面図である。図１２は、吐出部８の横断面図である。図１３は、吐出部８の分解斜視図である。図１３では、水形調整部１６の記載が省略されている。図１４は、図１３の一部が拡大された分解斜視図である。
【００３９】
図１３及び図１４が示すように、吐出部８は、ボタン部材１４、カバー部２０、第二のカバー部２１、押しボタン機構３４及びケース３５を備えている。
【００４０】
押しボタン機構３４は、第１切換こま３６、第２切換こま３８、切換リング４０、切換軸４２、コイルスプリング４４、切換カバー４６及びＯリング４８を有する。切換軸４２は、プッシュロッド５０と、ボタン保持部５２とを有する。切換カバー４６は、奥側底部５６と、スリット５８とを有する。切換リング４０は、切換カバー４６の手前側に固定されている。切換軸４２は、スリット５８にガイドされて所定方向に出退移動する。この出退移動の方向が、本願において方向Ｘとも称される。第２切換こま３８は、切換軸４２とともに出退移動する。ボタン部材１４の押圧操作に連動して、第２切換こま３８及び切換軸４２が方向Ｘに出退移動（往復移動）する。コイルスプリング４４には、プッシュロッド５０が挿通されている。コイルスプリング４４は、切換カバー４６の奥側底部５６と切換軸４２の基部との間に位置し、これらを互いに離間する方向に付勢している。第１切換こま３６は、ボタンの押圧操作毎に回転し、異なる２つの位置での保持を可能とする。押しボタン機構３４は、オルタネイト動作を実現する。
【００４１】
本願では、「前方」及び「後方」との文言が用いられる。「前方」及び「後方」は、上記方向Ｘに沿った方向である。「後方」とは、上記方向Ｘにおいて奥側に向かう方向である。よって上記実施形態では、押圧面２２に垂直な押圧力は後方に向かっている。前方とは、後方とは逆の方向である。本実施形態において、前後方向は、水平ではない。
【００４２】
この押しボタン機構３４には、スラストロック機構が用いられている。このスラストロック機構は、ボタン機構として広く用いられている。スラストロック機構は、例えば、ボールペンにも採用されており、ボールペンの芯の出し入れを可能としている。特許第３４５４７５６号でも、このスラストロック機構が採用されている。本実施形態の押しボタン機構３４は、特許第３４５４７５６号に記載されている機構と同様である。
【００４３】
一般に、いわゆるオルタネイト動作方式の押しボタン機構として、ハート状カム機構、回転カム機構、ラチェットカム機構等が知られている。これらの機構はいずれも公知である。押しボタン機構３４として、これらの機構のいずれかが採用されうる。オルタネイト動作方式を可能とするあらゆるボタン機構が採用されうる。
【００４４】
押しボタン機構３４のオルタネイト動作は、次の通りである。第一位置Ｐ１にあるボタン部材１４を押圧操作すると、ボタン部材１４は第二位置Ｐ２に移動する。押圧力を再度加えない限り、位置Ｐ２が維持される。次に、位置Ｐ２にあるボタン部材１４を押圧操作すると、ボタン部材１４は位置Ｐ１に戻る。押圧力を再度加えない限り、位置Ｐ１が維持される。押圧操作ごとに、位置Ｐ１と位置Ｐ２とが切り替えられる。位置Ｐ１と位置Ｐ２とは、上記方向Ｘにおける位置が相違する。
【００４５】
本実施形態では、位置Ｐ１は突出位置とも称される。この突出位置では、ボタン部材１４が、位置Ｐ２よりも前方に位置する。本実施形態では、位置Ｐ２は退行位置とも称される。この退行位置では、ボタン部材１４が、位置Ｐ１よりも後方に位置する。図１、図７、図８、図１１及び図１２は、第一位置Ｐ１にあるボタン部材１４を示している。一方、図２は、第二位置Ｐ２にあるボタン部材１４を示している。
【００４６】
図１３が示すように、導水部１０は、外カバー６０と、内筒６２とを有する。内筒６２は導水口６４とジョイント部６６とを有する。ジョイント部６６はケース３５と水密に接合されている。
【００４７】
図１２に示されるように、導水部１０は、浄水部６８を有する。本実施形態の浄水部６８は、交換可能な浄水カートリッジである。この浄水カートリッジ６８は、浄水流路７０Ｂと、水質浄化部７２と、上流側及び下流側の端部にそれぞれ配置されたキャップ７４とを有する。水質浄化部７２は、水質浄化材７２ａと外側ろ過層７２ｂと内側ろ過層７２ｃとを有する。水質浄化材７２ａは、活性炭を主成分とする。外側ろ過層７２ｂ及び内側ろ過層７２ｃには、例えば不織布が用いられる。外側ろ過層７２ｂ及び／又は内側ろ過層７２ｃに、滅菌作用を有するセラミックが採用されてもよい。外側ろ過層７２ｂ及び／又は内側ろ過層７２ｃに、イオン交換体が採用されてもよい。外側ろ過層７２ｂは複数層であってもよい。内側ろ過層７２ｃは複数層であってもよい。浄水流路７０Ｂは、流路Ｂの一例である。なお図１３では、浄水カートリッジ６８の記載が省略されている。
【００４８】
浄水カートリッジ６８の外側には、原水流路７６Ａが形成されている。原水流路７６Ａは、流路Ａの一例である。
【００４９】
原水吐出状態にあるとき、原水流路７６Ａを通過した原水が、切替機構を経由して、吐出口１８から排出される。一方、浄水吐出状態にあるとき、浄水流路７０Ｂを通過した浄水はフィルター７８を透過して切替機構に至り、この切替機構を経由して吐出口１８から排出される。
【００５０】
浄水吐出状態にあるとき、導水口６４から導入された原水は、水質浄化部７２を透過して浄水流路７０Ｂに至り、浄水となる。より詳細には、原水は、外側ろ過層７２ｂ、水質浄化材７２ａ及び内側ろ過層７２ｃを透過して、浄水流路７０Ｂに至る。
【００５１】
浄水吐出状態において、外側ろ過層７２ｂに異物等が付着する。しかしこの異物等は、原水吐出状態において原水とともに排出されうる。よって、浄水カートリッジ６８の目詰まりが抑制され、浄水カートリッジ６８の浄水性能が長期間維持される。
【００５２】
図１５から１７は、吐出部８の切替機構１００近傍の断面図である。図１５は、ボタン部材１４が第１位置Ｐ１にあるときの断面図である。図１６は、ボタン部材１４が第２位置Ｐ２にあるときの断面図である。図１７は、ボタン部材１４が第３位置Ｐ３にあるときの断面図である。上述の通り、押しボタン機構３４によって、ボタン部材１４は、押圧操作ごとに、第１位置Ｐ１と第２位置Ｐ２とに交互に切り替わる。第３位置Ｐ３は、第２位置Ｐ２よりも後方である。第３位置Ｐ３は、ボタン部材１４が最も押し込まれた位置であり、操作中にのみ生じうる。第１位置Ｐ１と第２位置Ｐ２との相互移行において、第３位置Ｐ３が経由される。ただし、押しボタン機構３４により保持される位置は、第１位置Ｐ１及び第２位置Ｐ２のみである。
【００５３】
ボタン部材１４は、ボタン本体１４ａと、第一部材１４ｂと、第二部材１４ｃとを有する。第一部材１４ｂは環状の部材である。第二部材１４ｃは環状の部材である。ボタン本体１４ａは、押圧面２２を構成している。第一部材１４ｂ及び第二部材１４ｃは、側面部２４の一部を構成している。第一部材１４ｂは、第一外観部ｃ１を形成している。第二部材１４ｃは、第二外観部ｃ２を形成している。
【００５４】
本実施形態では、第一部材１４ｂは、ボタン本体１４ａとはそれぞれ別個に成形されている。本実施形態では、第二部材１４ｃは、ボタン本体１４ａとはそれぞれ別個に成形されている。
【００５５】
本実施形態では、第二部材１４ｃは第一部材１４ｂとはそれぞれ別個に成形されている。第一外観部ｃ１と第二外観部ｃ２とが別体とされることで、両者の材質の色を相違させることができる。よって、ボタン部材１４の往復移動によって表示部ｈ１の表面が摩耗しても、色の相違が維持される。よって、外観の相違が長期間維持されうる。
【００５６】
なお、第一部材１４ｂとボタン本体１４ａとが一体成形されていてもよい。第二部材１４ｃとボタン本体１４ａとが一体成形されていてもよい。第二部材１４ｃと第一部材１４ｂとが一体成形されていてもよい。
【００５７】
第一外観部ｃ１は、ボタン部材１４のあらゆる可動位置において、外部に露出しない。
第二外観部ｃ２は、ボタン部材１４のあらゆる可動位置において、外部に露出しない。押圧操作において、第一外観部ｃ１及び第二外観部ｃ２が触れられることはない。よって、外観部ｃ１、ｃ２への汚れの付着が防止されている。
【００５８】
吐出部８は、流路Ａからの吐水Ｗａと流路Ｂからの吐水Ｗｂとを切り替えうる切替機構１００を有する。切替機構１００による吐水の切り替えは、択一的である。切替機構１００は、上述したボタン部材１４と、第一バルブ１０１、第二バルブ１０２及び第三バルブ１０３を有する。３つのバルブの開閉によって、吐水が切り替えられる。バルブは、２つ以下であってもよい。吐水の多様性の観点から、バルブの数は３以上が好ましい。小型化及びコストも考慮すると、バルブの数は２又は３が好ましく、３が最も好ましい。
【００５９】
本実施形態において、第一バルブ１０１は、弁座１０１ａと第一弁体１０１ｂとを有する（図１４参照）。第一バルブ１０１は、ボール弁である。第一弁体１０１ｂは、ボールである。弁座１０１ａは、環状の部材である。弁座１０１ａは、貫通孔ｈ１を有する（図１５参照）。弁座１０１ａは、弾性材よりなる。弁座１０１ａは、弁座装着部１０６の貫通孔１０８に装着されている。ボール１０１ｂは、ボール保持体１０１ｃに保持されている。ボール保持体１０１ｃは、下方に開放されている。ボール保持体１０１ｃの上部と第一弁体１０１ｂとの間に弾性体１０１ｄが配置されている。この弾性体１０１ｄはコイルスプリングである。弾性体１０１ｄによって、第一弁体１０１ｂは常に弁座１０１ａ側に付勢されている。ケース３５の内部には、ボール保持体１０１ｃの方向Ｘにおける移動を許容する空間が確保されている。
【００６０】
プッシュロッド５０の後方には、接続部５０ｊが設けられている。この接続部５０ｊは、ボール保持体１０１ｃの前方接続部ｊ１（図１２及び図１４参照）に接続されている。よって、ボール保持体１０１ｃは、プッシュロッド５０に連動して、方向Ｘに移動する。すなわち、ボール保持体１０１ｃは、ボタン部材１４に連動して方向Ｘに移動する。ボール保持体１０１ｃの移動とともに、第一弁体１０１ｂ（ボール）も方向Ｘに移動する。
【００６１】
ボタン部材１４が第２位置Ｐ２にあるとき、ボール１０１ｂの中心が、弁座１０１ａの貫通孔ｈ１の中心軸上に位置する。このため、ボール１０１ｂは、弾性体１０１ｄの付勢力及び重力によって、方向Ｙ（図１６）に移動し、貫通孔ｈ１にはまり込む（図１６参照）。なお貫通孔ｈ１の内径は、ボール１０１ｂの直径よりも小さい。このはまり込みによって、貫通孔ｈ１がボール１０１ｂによって塞がれ、第一バルブ１０１が閉じられる。一方、ボタン部材１４が第１位置Ｐ１にあるとき、ボール１０１ｂの中心が、貫通孔ｈ１の中心軸からズレている。このため、ボール１０１ｂは、貫通孔ｈ１にはまり込むことができない。よって貫通孔ｈ１が閉塞されない。このように、ボタン部材１４が第１位置Ｐ１にあるとき、第一バルブ１０１は開いている（図１５参照）。方向Ｙは、方向Ｘに対して直角である。なお、弾性体１０１ｄを用いることなく、重力のみによってボール１０１ｂが貫通孔ｈ１を塞ぐ構成が採用されてもよい。
【００６２】
ケース３５は、第二弁体用弁孔ｈ２と第三弁体用弁孔ｈ３とを有している。ケース３５の内部において、軸部材１１０は、中心線Ｚ１に沿って移動する。この軸部材１１０の移動により、第二バルブ１０２が開閉する。同時に、軸部材１１０の移動により、第三バルブ１０３が開閉する。第二バルブ１０２が閉じているとき、第三バルブ１０３は開いている。
【００６３】
ボタン部材１４が第３位置Ｐ３にあるとき、第一バルブ１０１は開いており、第二バルブ１０２も開いており、第三バルブ１０３は閉じている。ボタン部材１４が第２位置Ｐ２から第３位置Ｐ３までのいずれの位置にあっても、第三バルブ１０３は閉じている。よって、浄水（吐水Ｗｂ）の無駄な排出が防止される効果（効果Ａ）が生じうる。通常の押圧操作では、ボタン部材１４が第３位置Ｐ３にある時間は短時間である。ただし、ボタン部材１４の押圧操作の度に第３位置Ｐ３が生じることを考慮すると、上記効果Ａには意義がある。また、ボタン部材１４が第２位置Ｐ２から第３位置Ｐ３までのいずれの位置にあっても、第三バルブ１０３は閉じているので、浄水と原水との混合が抑制される。
【００６４】
切替機構１００は、軸部材１１０を有している。図１４が示すように、軸部材１１０は、第二弁体装着部１１０ａ、斜面部１１０ｂ、細径部１１０ｃ、第三弁体装着部１１０ｄ、後端部１１０ｅ及び接続部１１０ｊを有する。
【００６５】
軸部材１１０は、第２切換こま３８と同軸で配置されている。軸部材１１０は、プッシュロッド５０と同軸で配置されている。接続部１１０ｊは、ボール保持体１０１ｃの後方接続部ｊ２（図１２及び図１４参照）に接続されている。よって軸部材１１０は、ボール保持体１０１ｃと連動して方向Ｘに移動する。軸部材１１０は、ボタン部材１４に連動して方向Ｘに移動しうる。
【００６６】
切替機構１００は、第二弁体１１２を有している。図１４が示すように、本実施形態において、第二弁体１１２は、Ｏリングである。この第二弁体１１２が、第二弁体装着部１１０ａに嵌め込まれている。第二弁体装着部１１０ａは周溝を形成しており、この周溝に第二弁体１１２が嵌め込まれている。
【００６７】
切替機構１００は、第三弁体１１３を有している。図１４が示すように、本実施形態において、第三弁体１１３は、Ｕパッキンである。この第三弁体１１３が、第三弁体装着部１１０ｄに嵌め込まれている。第三弁体装着部１１０ｄは周溝を形成しており、この周溝に第三弁体１１３が嵌め込まれている。
【００６８】
図１５が示すように、第二弁体用弁孔ｈ２は、第二弁体１１２と当接しうる当接面ｈ２１を有する。この当接面ｈ２１は斜面である。この当接面ｈ２１は円錐凹面である。軸部材１１０の後端部１１０ｅは、この第二弁体用弁孔ｈ２を通過することはできない。よってこの第二バルブ１０２は、軸部材１１０が所定位置以上に前方に移動することを防止する抜け止め効果を奏している。各バルブ１０１、１０２及び１０３は、この軸部材１１０に連動して開閉する。上記抜け止め効果は、各バルブの安定的な作動に寄与している。
【００６９】
図１５が示すように、ケース３５は、第三弁体用弁孔ｈ３を有する。この第三弁体用弁孔ｈ３は、第三弁体１１３と当接しうる当接面ｈ３１を有する。第三弁体用弁孔ｈ３は、断面が円形で且つ内径が一定の貫通孔である。第三弁体用弁孔ｈ３は、軸部材１１０と同軸である。
【００７０】
図１５が示すように、ボタン部材１４が第１位置Ｐ１（突出位置）にあるとき、第二弁体１１２が当接面ｈ２１に当接する。この当接により、第二バルブ１０２が閉じられる。一方、ボタン部材１４が第１位置Ｐ１にあるとき、第三弁体１１３は当接面ｈ３１に当接せず、水は第三弁体用弁孔ｈ３を流通しうる。すなわち、ボタン部材１４が第１位置Ｐ１にあるとき、第三バルブ１０３は開いている。
【００７１】
図１６が示すように、ボタン部材１４が第２位置Ｐ２（退行位置）にあるとき、第三弁体１１３が当接面ｈ３１に当接する。この当接により、第三バルブ１０３が閉じられる。一方、ボタン部材１４が第２位置Ｐ２にあるとき、第二弁体１１２は当接面ｈ２１に当接せず、水は第二弁体用弁孔ｈ２を流通しうる。すなわち、ボタン部材１４が第２位置Ｐ２にあるとき、第二バルブ１０２は開いている。
【００７２】
本実施形態では、複数のバルブはそれぞれ異なるタイプである。第一バルブ１０１は、ボール弁である。第二バルブ１０２は、円錐凹面である斜面と、円錐凸面に取り付けられた環状パッキン（Ｏリング）との組み合わせである。第三バルブ１０３は、貫通孔の内面と、この貫通孔の内面に当接するように縮径しうるパッキン（Ｕパッキン）との組み合わせである。
【００７３】
本実施形態では、第一バルブ１０１がボタン部材１４の後方に位置している。また、第二バルブ１０２は第一バルブ１０１の後方に位置している。この縦列的な配置により、操作力の向きを変換する機構が不要とされる。また、操作力が円滑に伝達される。よって、信頼性の高い切替機構１００が実現されている。また、この縦列的な配置により、切替部１２を小型化（スリム化）することができる。よって、切替部１２の設計自由度が高まる。水栓装置２は、機能性及びデザイン性に優れる。
【００７４】
第三バルブ１０３は第一バルブ１０１の後方に位置している。第三バルブ１０３は第二バルブ１０２の前方に位置している。第三バルブ１０３は、第一バルブ１０１と第二バルブ１０２との間に位置している。この縦列的な配置により、操作力の向きを変換する機構が不要とされる。また、操作力が円滑に伝達される。更に、各バルブ同士が安定的に連動しうる。よって、信頼性の高い切替機構１００が実現されている。また、この縦列的な配置により、切替部１２を小型化（スリム化）することができる。
【００７５】
本実施形態では、第一弁体１０１ｂがボタン部材１４の後方に位置している。また、第二弁体１１２は第一弁体１０１ｂの後方に位置している。この縦列的な配置により、操作力の向きを変換する機構が不要とされる。また、操作力が円滑に伝達される。更に、各弁体同士が安定的に連動しうる。よって、信頼性の高い切替機構１００が実現されている。また、この縦列的な配置により、切替部１２を小型化（スリム化）することができる。
【００７６】
第三弁体１１３は第一弁体１０１ｂの後方に位置している。第三弁体１１３は第二弁体１１２の前方に位置している。第三弁体１１３は、第一弁体１０１ｂと第二弁体１１２との間に位置している。この縦列的な配置により、操作力の向きを変換する機構が不要とされる。また、操作力が円滑に伝達される。更に、各弁体同士が安定的に連動しうる。よって、信頼性の高い切替機構１００が実現されている。また、この縦列的な配置により、切替部１２を小型化（スリム化）することができる。
【００７７】
吐出部８では、ボタン部材１４と、プッシュロッド５０と、第一弁体１０１ｂと、軸部材１１０とが直列で並んでいる。この直列方向は、上記方向Ｘに対して平行である。そしてこの軸部材１１０に、第二弁体１１２及び第三弁体１１３が装着されている。よって、押圧力の伝達が円滑であり、これらの部材の連動が確実に達成される。
【００７８】
上述の通り、押しボタン機構３４は、プッシュロッド５０を有している。ボタン部材１４の後方にプッシュロッド５０が位置する。プッシュロッド５０の後方に第一弁体１０１ｂが位置する。第一弁体１０１ｂの後方に軸部材１１０が位置する。よって、ボタン部材１４の押圧力がプッシュロッド５０を介して第一弁体１０１ｂ及び軸部材１１０に円滑に伝達される。操作力の向きを変換する機構は不要とされている。
【００７９】
切替機構１００では、ボタン部材１４の後方に第一バルブ１０１が位置する。第一バルブ１０１の後方に第三バルブ１０３が位置する。第三バルブ１０３の後方に第二バルブ１０２が位置する。この縦列的な配列により、吐出部８の小型化及びスリム化が達成されうる。また、この縦列的な配列により、ボタン部材１４への押圧力が、第一バルブ１０１、第二バルブ１０２及び第三バルブ１０３に円滑に伝達される。よって、各バルブの開閉動作は安定している。
【００８０】
軸部材１１０の中心線Ｚ１は、方向Ｘに平行である。プッシュロッド５０の中心線は、方向Ｘに平行である。更に、ボタン部材１４の後方にプッシュロッド５０が位置し、プッシュロッド５０の後方に軸部材１１０が位置する。よって、方向Ｘに付与された押圧力が効率良く各バルブに伝達されうる。また、操作力の向きを変換する機構が不要とされうる。
【００８１】
軸部材１１０の中心線Ｚ１は、プッシュロッド５０の中心線に一致している。また、軸部材１１０の中心線Ｚ１は、ボタン部材１４の中心線に一致している。ボタン部材１４とプッシュロッド５０とは同軸である。更に、ボタン部材１４と軸部材１１０とは同軸である。よって、ボタン部材１４に付与された操作力は、効率的且つ円滑に、プッシュロッド５０及び軸部材１１０に伝達される。
【００８２】
プッシュロッド５０、コイルスプリング４４及び軸部材１１０は同軸で配置されている。そして、軸部材１１０と第二弁体１１２とは同軸である。更に、軸部材１１０と第三弁体１１３とは同軸である。また、第一バルブ１０１が閉じた状態を除き、第一弁体１０１ｂ（ボール）も、軸部材１１０等と同軸で配置されている。よって、操作力の伝達が円滑になされうる。また、単純な機構で信頼性の高い切替機構１００が実現されている。
【００８３】
上述の通り、ボタン部材１４の位置によって各バルブの開閉状態が相違する。この開閉状態として、本願では、開閉状態Ｖ１及び開閉状態Ｖ２が定義される。
【００８４】
本願において、第一バルブ１０１が開いており且つ第二バルブ１０２が閉じている状態が、開閉状態Ｖ１と称される。図１５は、開閉状態Ｖ１を示している。この開閉状態Ｖ１では、原水（吐水Ｗａ）が吐出口１８から排出される。このように、ボタン部材１４が位置Ｐ１にあるとき、切替機構１００が開閉状態Ｖ１にあり、この開閉状態Ｖ１では原水が吐出口１８から排出される。このように、開閉状態Ｖ１は原水吐出状態である。この原水吐出状態は、第一の吐出状態の一例である。
【００８５】
図１５において一点鎖線の矢印で示されるのは、原水（吐水Ｗａ）の流路である。前述した原水流路７６Ａからの原水は、第一バルブ１０１（貫通孔ｈ１）を通過して、吐出口１８に至る。原水流路７６Ａから第一バルブ１０１を通過して吐出口１８に至る流路は、本願における流路Ａの一例である。
【００８６】
図１５が示すように、流路Ａは、第三バルブ１０３を通過する分岐流路Ａ１を有する。分岐流路Ａ１を通った水は、第一バルブ１０１を通過した水と合流して、吐出口１８から排出される。本実施形態では、分岐流路Ａ１は原水流路である。
【００８７】
一方、本願において、第一バルブ１０１が閉じており且つ第二バルブ１０２が開いている状態が、開閉状態Ｖ２と称される。図１６は、開閉状態Ｖ２を示している。この開閉状態Ｖ２では、浄水（吐水Ｗｂ）が吐出口１８から排出される。このように、ボタン部材１４が位置Ｐ２にあるとき、切替機構１００が開閉状態Ｖ２にあり、この開閉状態Ｖ２では浄水が吐出口１８から排出される。このように、開閉状態Ｖ２は浄水吐出状態である。この浄水吐出状態は、第二の吐出状態の一例である。
【００８８】
図１６において細実線の矢印で示されるのは、浄水（吐水Ｗｂ）の流路である。前述した浄水流路７０Ｂからの浄水は、第二バルブ１０２（第二弁体用弁孔ｈ２）を通過して、吐出口１８に至る。浄水流路７０Ｂから第二バルブ１０２を通過して吐出口１８に至る流路は、本願における流路Ｂの一例である。
【００８９】
なお、吐出部８は、流路Ａと流路Ｂとが共通する共通流路Ｃを有する。共通流路Ｃは、図１５において、符号１２０Ｃで示されている。共通流路Ｃは、切替機構１００よりも下流側に位置する。この共通流路Ｃは、吐出部８の小型化に寄与する。
【００９０】
前述の通り、第三バルブ１０３が開くことにより、上記流路Ａから分岐した分岐流路Ａ１が形成される。本願では、第一バルブ１０１が開いており、第二バルブ１０２が閉じており且つ第三バルブ１０３が開いている状態が、開閉状態Ｖ１０とも称される。ボタン部材１４が第１位置Ｐ１にあるとき、切替機構１００は開閉状態Ｖ１０にある。この開閉状態Ｖ１０では、原水（吐水Ｗａ）が吐出口１８から排出される。開閉状態Ｖ１０は、開閉状態Ｖ１の一例である。開閉状態Ｖ１０は、原水吐出状態であり、第一の吐出状態の一例である。
【００９１】
本願では、第一バルブ１０１が閉じており、第二バルブ１０２が開いており且つ第三バルブ１０３が閉じている状態が、開閉状態Ｖ２０とも称される。ボタン部材１４が第２位置Ｐ２にあるとき、切替機構１００は開閉状態Ｖ２０にある。この開閉状態Ｖ２０では、浄水（吐水Ｗｂ）が吐出口１８から排出される。開閉状態Ｖ２０は、開閉状態Ｖ２の一例である。開閉状態Ｖ２０は、浄水吐出状態であり、第二の吐出状態の一例である。
【００９２】
なお、第一の吐出状態又は第二の吐出状態が止水状態であってもよい。
【００９３】
以上より、切替機構１００による切り替えの仕様は、次の通りである。
【００９４】
［第１位置Ｐ１：図１５参照］
ボタン部材１４が第１位置Ｐ１にあるときの仕様は次の（ａ１）から（ｊ１）である。
（ａ１）流路Ａが選択される。
（ｂ１）原水（吐水Ｗａ）が排出される。
（ｃ１）切替機構１００は開閉状態Ｖ１にある。
（ｄ１）切替機構１００は開閉状態Ｖ１０にある。
（ｅ１）第一バルブ１０１は開いている。
（ｆ１）第二バルブ１０２は閉じている。
（ｇ１）第三バルブ１０３は開いている。
（ｈ１）ボタン部材１４は突出位置にある。
（ｉ１）分岐流路Ａ１が形成される。
（ｊ１）吐出状態は、第一の吐出状態である。                            
【００９５】
［第２位置Ｐ２：図１６参照］
ボタン部材１４が第２位置Ｐ２にあるときの仕様は次の（ａ２）から（ｉ２）である。
（ａ２）流路Ｂが選択される。
（ｂ２）浄水（吐水Ｗｂ）が排出される。
（ｃ２）切替機構１００は開閉状態Ｖ２にある。
（ｄ２）切替機構１００は開閉状態Ｖ２０にある。
（ｅ２）第一バルブ１０１は閉じている。
（ｆ２）第二バルブ１０２は開いている。
（ｇ２）第三バルブ１０３は閉じている。
（ｈ２）ボタン部材１４は退行位置にある。
（ｉ２）吐出状態は、第二の吐出状態である。                            
【００９６】
本実施形態では、第一弁体１０１ｂ（ボール）及び第二弁体１１２（Ｏリング）が、上記方向Ｘに対して平行な単一直線Ｌｘ上に位置している。すなわち、この単一直線Ｌｘは、第一弁体１０１ｂ及び第二弁体１１２を横断している。ここで、「弁体を横断している」とは、弁体内側の空間（Ｏリングの内側の空洞等）を通過する場合を含む。また単一直線Ｌｘは任意に選択されうる。図１６では、軸部材１１０の中心線Ｚ１が単一直線Ｌｘとして選択されている。しかし、この直線Ｌｘは、方向Ｘと平行である限り、限定されない。単一直線Ｌｘは、中心線Ｚ１であってもよいし、中心線Ｚ１以外の線であってもよい。操作力の伝達効率の観点から、好ましくは、単一直線Ｌｘは中心線Ｚ１とされる。
【００９７】
上述の通り、本実施形態では、第二弁体１１２が軸部材１１０に装着されている。そして、軸部材１１０の中心線Ｚ１（図１６参照）が、あらゆる可動位置における第一弁体１０１ｂ（ボール）と、あらゆる可動位置におけるボタン部材１４とを通過している。すなわち、可動範囲のどの位置にあっても、中心線Ｚ１は、ボール１０１ｂ及びボタン部材１４を通過している。「通過」とは、交わる場合の他、内側の空間（環状体の内側等）を通る場合を含む。
【００９８】
上述の通り、本実施形態では、第二弁体１１２及び第三弁体１１３が共通の軸部材１１０に装着されている。本実施形態では、第二バルブ１０２が軸弁であり、第三バルブ１０３が軸弁である。なお軸弁とは、軸部材の移動により開閉する弁である。好ましい軸弁は、以下の要件（１）から（４）を満たす。
（１）弁体が軸部材に装着されている。
（２）この軸部材が孔に挿通されている。
（３）上記軸部材の移動によって上記弁体と上記孔の内面との離接が生じる。
（４）この離接により弁の開閉が達成される。
【００９９】
水栓装置２では、第一弁体１０１ｂと第二弁体１１２とが単一直線Ｌｘ上に位置しているため、切替部１２を小型化することができる。更に水栓装置２では、軸部材１１０の中心線Ｚ１が、あらゆる位置における第一弁体１０１ｂと、あらゆる位置におけるボタン部材１４とに交わっている。この配置によって、ボタン部材１４近傍及び切替部１２が更に小型化されうる。
【０１００】
水栓装置２では、ボタン部材１４、第一弁体１０１ｂ及び第二弁体１１２が単一直線Ｌｘ上に位置している。また、この単一直線Ｌｘはボタン部材１４の移動方向に対して平行である。すなわちこの単一直線Ｌｘは、押圧方向に対して平行である。よって、ボタン部材１４に付与された操作力が、第一弁体１０１ｂ及び第二弁体１１２に円滑に伝達される。ボタン部材１４と第一弁体１０１ｂとの連動が円滑であり、ボタン部材１４と第二弁体１１２との連動も円滑である。これらの連動機構は、操作力の向きを変換する機構を含まない。よって、単純な機構で、安定した連動が達成されうる。機構の単純化により、高い耐久性が達成され、操作性及び信頼性が高まる。
【０１０１】
更に、第三弁体１１３も、上記単一直線Ｌｘ上に位置している。よって、ボタン部材１４に付与された操作力は、第三弁体１１３にも円滑に伝達される。よって、３つの弁を有する切替機構１００では、機構の単純化が達成され、耐久性、操作性及び信頼性に優れる。
【０１０２】
コイルスプリング４４は、単一直線Ｌｘ上に位置している。すなわち単一直線Ｌｘは、コイルスプリング４４又はその内部を通過している。更にコイルスプリング４４は、軸線Ｚ１と同軸である。また、コイルスプリング４４の伸縮方向は、方向Ｘに一致している。よって操作力が効率良くコイルスプリング４４に伝達され、伝達ロスが少ない。押しボタン機構３４の動作は安定的である。
【０１０３】
第二弁体１１２と第三弁体１１３とが共通の軸部材１１０に配置されている。よって、２箇所の弁をコンパクトに形成することができる。また、共通の軸部材１１０が用いられているため、第二弁体１１２の移動と第三弁体１１３の移動との連動は確実である。よって第二バルブ１０２の開閉と第三バルブ１０３との開閉とは確実に連動する。このため、信頼性の高い切替機構１００が実現しうる。更に、２箇所の弁体を共通の軸部材１１０に装着することで、部品点数が減少し、組み立ての効率が高まり、生産性が向上する。
【０１０４】
上述の通り、第１位置Ｐ１では、吐水Ｗａが、２つのバルブ（第一バルブ１０１及び第三バルブ１０３）を通過している。また、第１位置Ｐ１では、分岐流路Ａ１が形成される。このため、装置を大型化することなく、吐水Ｗａの流量を大きくすることができる。上記実施形態の如く吐水Ｗａが原水とされた場合、原水の流量を大きくすることができる。よって例えば、原水が用いられる用途（食器洗い等の洗浄用途など）において、十分な流量が確保されうる。本実施形態では、吐水Ｗａの流量が吐水Ｗｂの流量よりも大きくされうる。よって、吐水の多様性が高まり、利便性に優れた水栓装置２が実現されうる。
【０１０５】
切換軸４２の材質として、樹脂が好ましい。好ましい樹脂として、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）が例示される。耐熱性の観点から、ポリオキシメチレン（ＰＯＭ）及びポリフェニレンサルファイド（ＰＰＳ）がより好ましい。また、第一弁体１０１ｂ（ボール）等の位置精度を高める観点から、切換軸４２は高弾性であるのが好ましい。この観点から、切換軸４２の材質として、ポリオキシメチレン（ＰＯＭ）がより好ましい。上記実施形態では、ポリオキシメチレン（ＰＯＭ）が用いられた。
【０１０６】
ボール（第一弁体１０１ｂ）の材質として、ステンレス鋼、ポリカーボネート樹脂（ＰＣ）及び真鍮が例示される。第一バルブ１０１を確実に閉じるためには、ボールの重量が大きいほうがよい。この観点から、ステンレス鋼又は真鍮が好ましく、耐食性をも考慮すると、ステンレス鋼がより好ましい。
【０１０７】
上記Ｕパッキンとは、断面が略Ｕ字形の部分を有するリップパッキンである。Ｕパッキンは、シール性が良く、摺動抵抗が少ない。上記Ｕパッキンの材質として、ゴム及びエラストマーが例示される。このゴムとして、ＮＢＲ（アクリロニトリルブタジエンゴム）、ＥＰＤＭ（エチレンプロピレンジエンゴム）、フッ素ゴム及びシリコンゴムが例示される。コスト及び耐塩素性の観点、及び、圧縮永久歪みが小さいとの観点から、ＥＰＤＭ及びフッ素ゴムが好ましく、特にコストを考慮するとＥＰＤＭがより好ましい。
【０１０８】
上記Ｏリングの材質として、ゴム及びエラストマーが例示される。好ましいゴムとして、ＮＢＲ、ＥＰＤＭ、フッ素ゴム及びシリコンゴムが例示される。コスト及び耐塩素性の観点、及び、圧縮永久歪みが小さいとの観点から、ＥＰＤＭ及びフッ素ゴムがより好ましく、特にコストを考慮するとＥＰＤＭが更に好ましい。
【０１０９】
図１８（ａ）及び図１８（ｂ）は、ボタン部材１４とカバー部２０との位置関係を示す断面図である。図１８（ａ）では、ボタン部材１４は第一位置Ｐ１にある。図１８（ｂ）では、ボタン部材１４は第二位置Ｐ２にある。なお本願では、透明性部材の断面が破線のハッチングで示されている。
【０１１０】
図１８（ａ）が示すように、ボタン部材１４が第一位置Ｐ１にあるとき、第一外観部ｃ１は、表示開口部ｗｄ１から視認できる位置にある。ボタン部材１４が第一位置Ｐ１にあるとき、第二外観部ｃ２は、表示開口部ｗｄ１から視認できない位置にある。ボタン部材１４が第一位置Ｐ１にあるとき、第一外観部ｃ１が、透明性部材Ｔ１を通して、外部から視認される。
【０１１１】
図１８（ｂ）が示すように、ボタン部材１４が第二位置Ｐ２にあるとき、第二外観部ｃ２は、表示開口部ｗｄ１から視認できる位置にある。ボタン部材１４が第二位置Ｐ２にあるとき、第一外観部ｃ１は、表示開口部ｗｄ１から視認できない位置にある。ボタン部材１４が第二位置Ｐ２にあるとき、第二外観部ｃ２が、透明性部材Ｔ１を通して、外部から視認される。
【０１１２】
第一外観部ｃ１は、第一の色を呈している。第二外観部ｃ２は、第二の色を呈している。第一外観部ｃ１と第二外観部ｃ２とで、色が相違する。よって、ボタン部材１４が第一位置Ｐ１にあるか第二位置Ｐ２にあるかで、視認される表示部ｈ１の色が相違する。この色の相違により、第一の吐出状態か第二の吐出状態かが識別される。色の相違の程度は、人間が視覚によって区別できる程度であればよい。
【０１１３】
識別性の観点から、第一外観部ｃ１又は第二外観部ｃ２の少なくともいずれかが、発光体を含んでいても良い。この発光体の一例として、ＬＥＤ（発光ダイオード）が例示される。ただし、発光体を用いた場合、装置の大型化及びコストの上昇が懸念される。この観点から、発光体は用いられないのが好ましい。
【０１１４】
なお、カバー部２０又はボタン部材１４が、表示部ｈ１からの光（反射光）を増加させうる採光窓を有していても良い。この場合、採光窓からの入射光が表示部ｈ１に当たるように構成されるのが好ましい。この採光窓に、透明性部材Ｔ１と同じ材質の部材が設けられても良い。
【０１１５】
上記第一の色と上記第二の色との相違は、例えば、以下の構成１から３によって実現されうる。なお、上記実施形態では、下記構成３が採用されている。この構成３では、表面の摩耗による色落ちが生じない。
（構成１）表面処理の色の相違
（構成２）表面処理の有無
（構成３）材質の色の相違
【０１１６】
上記表面処理として、ペイント、蒸着及びメッキが例示される。
【０１１７】
図１８（ｂ）の拡大部が示すように、表示開口部ｗｄ１は、第一対向面Ｆ１を有する。一方、透明性部材Ｔ１は、第二対向面Ｆ２を有する。第一対向面Ｆ１と第二対向面Ｆ２とは互いに対向している。本実施形態では、第一対向面Ｆ１及び第二対向面Ｆ２は平面である。第一対向面Ｆ１及び／又は第二対向面Ｆ２は曲面であってもよい。本実施形態では、第一対向面Ｆ１は第二対向面Ｆ２に接触している。第一対向面Ｆ１と第二対向面Ｆ２との間に他の層があってもよい。この他の層として接着剤層及び鏡面形成層が例示される。第一対向面Ｆ１と第二対向面Ｆ２との間に隙間があってもよい。
【０１１８】
第一対向面Ｆ１は、全体として環状に延在している。第二対向面Ｆ２は、全体として環状に延在している。
【０１１９】
第一対向面Ｆ１の延在方向は、ボタン部材１４の半径方向である。第一対向面Ｆ１の延在方向は、上記方向Ｙである。第二対向面Ｆ２の延在方向は、ボタン部材１４の半径方向である。第二対向面Ｆ２の延在方向は、上記方向Ｙである。
【０１２０】
図１９は、透明性部材Ｔ１の断面図である。透明性部材Ｔ１は、上記方向Ｙに延びる第一透明部ｓ１と、この第一透明部ｓ１に繋がって上記方向Ｘ前方に延びる第二透明部ｓ２とを有している。表示部ｈ１からの光は、第一透明部ｓ１を経由して第二透明部ｓ２へと進行しうる。
【０１２１】
第二透明部ｓ２の存在により、透明性部材Ｔ１のＸ方向幅Ｗｔ（図１９参照）が拡張されている。Ｘ方向幅Ｗｔの拡張により、透明性部材Ｔ１の露出面積が拡大されている。よって、表示部ｈ１の視認性が高められている。
【０１２２】
第二透明部ｓ２は、前面Ｆ５を有する（図１９参照）。前面Ｆ５は、透明性部材Ｔ１の前面でもある。この前面Ｆ５は外部に露出している。表示部ｈ１からの光は、第一透明部ｓ１を経由して、第二透明部ｓ２の前面Ｆ５に到達しうる。よって、前方からの表示部ｈ１の視認性が高められている。前面Ｆ５は、Ｘ方向外方に行くほどＹ方向後方となるように傾斜した傾斜面Ｆ５１を有している。この傾斜面Ｆ５１により、前面Ｆ５の表面積が拡大されている。この拡大により、前方からの表示部ｈ１の視認性が更に高められている。
【０１２３】
第一対向面Ｆ１は、表示部ｈ１からの光を反射しうるミラー機能部ＭＲ１である。第一対向面Ｆ１により反射された光により、表示部ｈ１の視認性が高まる。
【０１２４】
第一対向面Ｆ１により反射された光は、前方に進行する。第一対向面Ｆ１により反射された光は、第二透明部ｓ２に到達しうる。よって、表示部ｈ１の色が、第一透明部ｓ１のみならず、第二透明部ｓ２からも視認される。このため、表示部ｈ１の視認性が更に高められている。
【０１２５】
第一対向面Ｆ１により反射された光は、前面Ｆ５に到達しうる。よって、表示部ｈ１の色が、前面Ｆ５からも視認される。使用者の視点は、通常、吐出部８の斜め前方に位置する。前面Ｆ５から表示部ｈ１の色が視認されることで、表示部ｈ１の視認性が更に高められている。
【０１２６】
本実施形態では、第一対向面Ｆ１の少なくとも一部が、第三の色を呈している。また、上述の通り、第一外観部ｃ１が第一の色を呈しており、第二外観部ｃ２が第二の色を呈している。上記第一の色の明度指数がＬ１とされる。上記第二の色の明度指数がＬ２とされる。上記第三の色の明度指数がＬ３とされる。上記Ｌ１と上記Ｌ２のうちの大きい方の明度指数がＬｓとされる。
【０１２７】
好ましくは、明度指数Ｌｓが明度指数Ｌ３よりも大きい。これにより、表示部ｈ１（明度指数Ｌｓの部分）からの光が第一対向面Ｆ１によって反射されやすくなる。すなわち、ミラー効果が高まる。このため、表示部ｈ１の視認性が更に向上しうる。
【０１２８】
上記実施形態では、明度指数Ｌ２が明度指数Ｌ１よりも大きい。すなわち、上記実施形態では、明度指数Ｌ２は明度指数Ｌｓである。よって、第二外観部ｃ２が目立ちやすい。上記実施形態では、第二の吐水状態（浄水吐水）が容易に確認されうる。
【０１２９】
好ましくは、明度指数Ｌ１と明度指数Ｌ２とは相違している。この相違により、第一の吐水状態と第二の吐水状態との区別が明確となる。よって、吐水状態の把握が容易となる。
【０１３０】
上記第一の色と上記第二の色との色差がΔＥとされる。吐水状態の区別を容易とする観点から、色差ΔＥは、３０以上が好ましく、５０以上がより好ましく、７０以上が更に好ましい。技術思想上の理由では規定する必要はないが、上記第一の色と上記第二の色とを実現するための材料等の制約上の理由から、色差ΔＥは、１２０以下、更に１００以下、特に９０以下と規定することもできる。
【０１３１】
[色差ΔＥ、明度指数Ｌ＊]
色差ΔＥは、下記の数式に基づいて算出される。
ΔＥ＝（（ΔＬ＊）２＋（Δａ＊）２＋（Δｂ＊）２）１／２
この数式においてΔＬ＊は、比較される２つの色の明度指数Ｌ＊の差である。本実施形態のΔＥは、第一の色の明度指数Ｌ＊（＝Ｌ１）と、第二の色の明度指数Ｌ＊（＝Ｌ２）の差である。この数式においてΔａ＊は、第一の色の指数ａ＊と第二の色のの指数ａ＊との差である。この数式においてΔｂ＊は、第一の色の指数ｂ＊と第二の色の指数ｂ＊との差である。Ｌ＊、ａ＊及びｂ＊は、ＣＩＥＬＡＢ表示系における指数である。指数Ｌ＊、ａ＊及びｂ＊は、下記数式によって算出される。
Ｌ＊ ＝ １１６（Ｙ／Ｙｎ）１／３ − １６
ａ＊ ＝ ５００（（Ｘ／Ｘｎ）１／３ − （Ｙ／Ｙｎ）１／３）
ｂ＊ ＝ ２００（（Ｙ／Ｙｎ）１／３ − （Ｚ／Ｚｎ）１／３）
これら数式において、Ｘ、Ｙ及びＺはＸＹＺ表示系における三刺激値であり、Ｘｎ、Ｙｎ及びＺｎは完全拡散反射面の三刺激値である。ＣＩＥＬＡＢ表示系は、国際照明委員会（ＣＩＥ）によって１９７６年に決定された規格である。日本では、「ＪＩＳ  Ｚ  ８７２９」において、ＣＩＥＬＡＢ表示系が採用されている。Ｌ＊は、明度の指数である。ａ＊及びｂ＊は、色相及び彩度と相関する指数である。ａ＊のマイナス方向は緑方向であり、プラス方向は赤方向である。ｂ＊のマイナス方向は青方向であり、プラス方向は黄方向である。指数の測定は、ミノルタ社の色彩色差計「ＣＭ−３５００ｄ」によってなされる。受光部が対象物（表示部ｈ１等）の表面に当てられ、測定がなされる。光源には、「標準の光Ｄ６５」が採用される。この光源の色温度は、６５０４ｋである。分光感度としては、「２°視野」が採用される。孔径として、８ｍｍが採用される。
【０１３２】
ミラー効果を高める観点から、明度指数Ｌｓは、６０以上が好ましく、７０以上がより好ましく、９０以上が更に好ましい。明度指数Ｌｓの上限は１００以下である。技術思想上の理由では規定する必要はないが、明度指数Ｌｓを実現するための材料等の入手の容易性及び材料コストの観点から、明度指数Ｌｓは、９８以下、更には９５以下と規定することもできる。
【０１３３】
一般に、明度が小さい色（暗い色）は光の反射を抑制すると考えられる。ところが、明度が小さい面（第一対向面Ｆ１）と透明性部材（第二対向面Ｆ２）とを対向させたところ、第一対向面Ｆ１における反射率が高まることが判った。すなわち、透明性部材を透過した光が第一対向面Ｆ１によって効率的に反射されることが判った。この反射率の向上により、表示部ｈ１からの光が第一対向面Ｆ１によって効果的に反射され、視認性が向上しうる。ミラー効果を高める観点から、上記第三の色の明度指数Ｌ＊（＝Ｌ３）は、４０以下が好ましく、２０以下がより好ましく、１０以下が更に好ましい。明度指数Ｌ３の下限値は０以上である。技術思想上の理由では規定する必要はないが、明度指数Ｌ３を実現するための材料等の入手の容易性及び材料コストの観点から、明度指数Ｌ３は、５以上、更には１０以上と規定することもできる。
【０１３４】
好ましくは、カバー部２０は、上記第三の色を呈する樹脂により形成されている。すなわち、カバー部２０の材質である樹脂そのものの色が、第三の色であるのが好ましい。塗装等の着色では、塗装ムラ、塗装欠損、塗装剥がれ等の不都合が生じうる。これらの不都合により、ミラー効果が低下しうる。また、ミラー効果が不均一となりうる。カバー部２０を構成する樹脂自身の色を第三の色とすることで、これらの不都合が防止される。よって、ミラー効果が向上しうる。好ましくは、カバー部２０は、上記第三の色を呈する樹脂により形成されている。上記実施形態では、カバー部２０の全体が、第三の色の樹脂により形成されている。
【０１３５】
ミラー効果を高める観点から、第一対向面Ｆ１の少なくとも一部が、金属光沢を有していてもよい。この金属光沢は、例えば、下記の構成ａ又はｂによってえられうる。
（構成ａ）第一対向面Ｆ１を構成する部材（カバー部２０）の材質が金属とされる。
（構成ｂ）金属光沢を有する表面処理がなされる。
上記構成ｂの表面処理として、蒸着、メッキ、金属粉末を含む塗装、等が挙げられる。
【０１３６】
図１９が示すように、第二透明部ｓ２は、第一透明部ｓ１と比較して、Ｙ方向の厚みが小さい。よって、透明性部材Ｔ１の表面積が効果的に拡大されており、視認性が向上している。
【０１３７】
第二対向面Ｆ２は、透明性部材Ｔ１の後面である。第二対向面Ｆ２は、第一透明部ｓ１の後面である。第一対向面Ｆ１は、この第二対向面Ｆ２に対向している。第一対向面Ｆ１は、第一透明部ｓ１の後方に位置する。第一対向面Ｆ１は、透明性部材Ｔ１の後方に位置する。上述の通り、第一対向面Ｆ１はミラー機能部ＭＲ１である。よって、第一透明部ｓ１の後方にミラー機能部ＭＲ１が位置している。第一透明部ｓ１の後方にミラー機能部ＭＲ１が配置されているため、ミラー機能部ＭＲ１で反射した光が前方に進行する。この前方への光は、第二透明部ｓ２に到達しうる。よって、第一透明部ｓ１のみならず、第二透明部ｓ２からも表示部ｈ１の色を視認することができる。更に、ミラー機能部ＭＲ１で反射した光は、前面Ｆ５にも到達しうる。よって、吐出部８の前方からの視認性が高まる。
【０１３８】
図１８（ｂ）の拡大部が示すように、カバー部２０は、対向面Ｆ１０を有する。この対向面Ｆ１０も、ミラー機能部ＭＲ１である。対向面Ｆ１０は、第一透明部ｓ１の前面に対向している。この対向面Ｆ１０での反射により、表示部ｈ１からの光が増加しうる。対向面Ｆ１０により、表示部ｈ１の視認性が向上しうる。ミラー効果を高める観点から、対応面Ｆ１０の少なくとも一部が、上記第三の色（明度指数Ｌ３）を呈しているのが好ましい。
【０１３９】
カバー部２０は、第二透明部ｓ２の下面に対向する対向面Ｆ１１を有する。この対向面Ｆ１１は、第二透明部ｓ２の下面に対向している。この対向面Ｆ１１は、第二透明部ｓ２の下面に接している。この対向面Ｆ１１も、ミラー機能部ＭＲ１である。対向面Ｆ１１で反射された光は、透明性部材Ｔ１の外方に進行しうる。対向面Ｆ１１での反射により、表示部ｈ１の視認性が向上しうる。ミラー効果を高める観点から、対応面Ｆ１１の少なくとも一部が、上記第三の色（明度指数Ｌ３）を呈しているのが好ましい。
【０１４０】
図２０は、第二実施形態に係る水栓装置の断面図である。図２０（ａ）は、ボタン部材１４が第一位置Ｐ１にある状態を示す。図２０（ｂ）は、ボタン部材１４が第二位置Ｐ２にある状態を示す。
【０１４１】
この第二実施形態では、透明性部材Ｔ２が表示開口部ｗｄ２に配置されている。上述した第一実施形態との相違は、透明性部材Ｔ２及び表示開口部ｗｄ２の形状である。その他の点は、上述した第一実施形態と同様である。この第二実施形態では、
【０１４２】
透明性部材Ｔ２は、矩形の断面形状を有する環状の部材である。表示開口部ｗｄ２の形状は、この透明性部材Ｔ２の形状に対応している。
【０１４３】
図２０（ｂ）の拡大部が示すように、表示開口部ｗｄ２は、第一対向面Ｆ１を有する。透明性部材Ｔ２は、この第一対向面Ｆ１に対向する第二対向面Ｆ２を有する。第二対向面Ｆ２は、透明性部材Ｔ２の後面である。第一対向面Ｆ１は、透明性部材Ｔ２の後方に位置する。
【０１４４】
図２０（ｂ）の拡大部が示すように、表示開口部ｗｄ２は、第三対向面Ｆ３を有する。透明性部材Ｔ２は、この第三対向面Ｆ３に対向する第四対向面Ｆ４を有する。第四対向面Ｆ４は、透明性部材Ｔ２の前面である。第三対向面Ｆ３は、透明性部材Ｔ２の前方に位置する。
【０１４５】
本実施形態では、第一対向面Ｆ１及び第三対向面Ｆ３が、ミラー機能部ＭＲ１である。表示部ｈ１からの光は、第一対向面Ｆ１で反射される。また、表示部ｈ１からの光は、第三対向面Ｆ３でも反射される。これらの反射光が、透明性部材Ｔ２を透過して外部に至る。これらの反射により、表示部ｈ１の視認性が高められている。ミラー効果を高める観点から、第三対向面Ｆ３の少なくとも一部が、上記第三の色（明度指数Ｌ３）を呈しているのが好ましい。
【０１４６】
上記第一実施形態及び第二実施形態では、カバー部２０が着脱可能とされている。図２１は、上記第一実施形態における着脱構造を説明するための断面図である。図２１（ａ）は、カバー部２０が装着された状態を示す。図２１（ｂ）は、カバー部２０が取り外された状態を示す。
【０１４７】
カバー部２０の着脱構造は、ネジ結合である。カバー保持部２３の内面には、雌ねじｆｓ１が形成されている。カバー部２０の外面には、雄ねじｍｓ１が形成されている。図２１（ａ）の組み立て状態では、雌ねじｆｓ１と雄ねじｍｓ１とのネジ結合が達成されている。このネジ結合により、カバー部２０の着脱が可能とされている。このように、カバー保持部２３は、カバー部２０を着脱可能に保持しうる。
【０１４８】
カバー部２０がカバー保持部２３から取り外された状態において、第一外観部ｃ１又は第二外観部ｃ２のうち上記明度指数Ｌｓを呈する部分が露出する。上述の通り、本実施形態では、Ｌ２がＬ１よりも大きい。よって、明度指数Ｌｓを呈する部分は、第二外観部ｃ２である。カバー部２０がカバー保持部２３から取り外された場合、第二外観部ｃ２が露出する（図２１（ｂ）参照）。よって、第二外観部ｃ２に付着した汚れを拭き取る等の清掃が可能となる。よって、表示部ｈ１の視認性を維持することが可能となる。また、カバー部２０がカバー保持部２３から取り外された場合、透明性部材Ｔ１の内側表面ｕ１を露出させることができる（図２１（ｂ）参照）。よって、この内側表面ｕ１にも清掃を施すことができる。水栓器具では、水垢などの汚れが生じやすい。清掃が可能とされることは、表示部ｈ１の視認性の維持に効果的である。
【０１４９】
より好ましくは、カバー部２０がカバー保持部２３から取り外された状態において、第一外観部ｃ１及び第二外観部ｃ２が露出する。この場合、第一外観部ｃ１（明度指数Ｌ１の部分）及び第二外観部ｃ２（明度指数Ｌ２の部分）の両方を清掃することができ、表示部ｈ１の視認性が高まる。
【０１５０】
ミラー効果を高める観点から、第一対向面Ｆ１（ミラー機能部ＭＲ１）と第二対向面Ｆ２とは接触しているのが好ましい。換言すれば、第一対向面Ｆ１と第二対向面Ｆ２との間に隙間が存在しないのが好ましい。この観点から、透明性部材Ｔ１とカバー部２０とが２色成形法により成形されているのが好ましい。換言すれば、２色成形により、第一対向面Ｆ１と第二対向面Ｆ２が接触しているのが好ましい。
【０１５１】
[２色成形法]
２色成形法では、異なる材質が組み合わされて一体的に成形される。２色成形法は、ダブルモールド法とも称される。
【０１５２】
２色成形法は、第一部材を成形する一次成形工程と、この第一部材とは異なる材質の第二部材を上記第一部材と一体的に成形して２色成形体を得る二次成形工程とを有する。この２色成形体は、第一部材と第二部材とが直接的に当接した当接境界面を有する。
【０１５３】
一次成形工程では、第一金型Ｍ１が用いられる。二次成形工程では、第二金型Ｍ２が用いられる。第一金型Ｍ１は、上記第一部材を成形しうる第一金型空間を有している。この第一金型空間に第一材料を充填し、第一部材が成形される。第二金型Ｍ２は、上記２色成形体を成形しうる第二金型空間を有している。この第二金型空間に上記第一部材が配置されると、上記第二部材の成形空間が残る。この残った成形空間に第二材料が充填されることにより、上記第二部材が成形されると同時に、上記２色成形体が形成される。この製法では、上記当接境界面において高い密着性が得られる。この２色成形法は、異なる材質同士を隙間無く密着させうる。
【０１５４】
上記第二実施形態を例として、２色成形法の具体例を説明する。本実施形態では、上記第一部材がカバー部２０とされ、上記第二部材が透明性部材Ｔ２とされている。逆に、上記第一部材が透明性部材Ｔ２とされ、上記第二部材がカバー部２０とされてもよい。
【０１５５】
図２２は、この２色成形を説明するための断面図である。図２２の上側の図は、上記第二金型Ｍ２、カバー部２０及び第二部材の成形空間ＳＰを示している。図２２の下側の図は、上記成形空間ＳＰに透明性材料が充填され、透明性部材Ｔ２が成形された状態を示している。この２色成形法により、透明性部材Ｔ２とカバー部２０との当接境界面ｂｓ１において高い密着性が得られる。この２色成形法により、透明性部材Ｔ２とカバー部２０との間における隙間の発生が防止される。よって、第一対向面Ｆ１と第二対向面Ｆ２との間に隙間が生じない。また、第三対向面Ｆ３と第四対向面Ｆ４との間にも隙間が生じない。このため、上記ミラー効果が高まる。
【０１５６】
水栓装置２は水回り商品であるから、隙間にコケ又はカビが発生しやすい。これらはミラー効果を減退させる。隙間が防止されることで、ミラー効果が長期間維持されうる。
【０１５７】
コケ、カビ等の汚れを防止する観点から、水栓装置２においては、隙間の防止が重要である。この観点から、２色成形法の有用性は、透明性部材及びカバー部に限定されるものではなく、水栓装置２のあらゆる部材に適用されうる。
【０１５８】
透明性部材とカバー部との接合方法として、嵌め込み、接着及び機械的接合が例示される。例えば、別成形された透明性部材が表示開口部への嵌め込みによって固定されてもよい。ただし嵌め込みの場合、隙間が生じうる。また、透明性部材とカバー部とが接着されてもよい。この場合、接着工程及び接着剤が必要となる。また、接着剤を完全に塗布できなければ、隙間が生じうる。機械的接合によっても、隙間が生じうる。２色成形法では、隙間が防止される。また、組み立て工程を少なくすることができ、生産性が向上する。
【０１５９】
軽量性及びコストの観点から、カバー部２０の材質は樹脂が好ましい。軽量性及びコストの観点から、透明性部材の材質は樹脂が好ましい。外観性の観点から、カバー部が樹脂である場合、その表面にはメッキが施されてもよい。
【０１６０】
図２３は、カバー部２０と透明性部材Ｔ２とから構成される２色成形体ｄｍ１にメッキがなされる工程を示す断面図である。図２３において、（ａ）はメッキ処理前の断面図であり、（ｂ）はメッキ処理後の断面図である。メッキ処理において、透明性部材Ｔ２の外面にマスキングは設けられない。メッキ処理において、透明性部材Ｔ２の外面はメッキ液に接触する。しかし、透明性部材Ｔ２の外面にはメッキ層ＰＬが形成されない。
【０１６１】
透明性を確保するためには、透明性部材Ｔ２の外面Ｔ２１にはメッキ層ＰＬを設けないのが好ましい。外面Ｔ２１へのメッキ層の付着を物理的に防止するには、外面Ｔ２１をマスキングする必要がある。しかし、外面Ｔ２１における両部材の境界ｋ１にぴったり合わせてマスキングすることは困難である。このマスキングには手間がかかり、生産性が低下する。
【０１６２】
メッキの方法として、電解メッキ、無電解メッキ及び蒸着メッキが例示される。無電解メッキ又は蒸着メッキでは、マスキングが必要となる。
【０１６３】
マスキングを不要とし、且つ境界ｋ１とするためには、電解メッキが好ましい。更に、透明性部材Ｔ２の材質が、上記電解メッキによってメッキ層が形成されない樹脂とされるのが好ましい。更に、カバー部２０の材質が、上記電解メッキによってメッキ層が形成される樹脂であるのが好ましい。この場合、２色成形体ｄｍ１をメッキ処理することで、カバー部２０の表面のみにメッキ層ＰＬが形成される（図２３参照）。このメッキ層ＰＬは、メッキ対象物（カバー部２０）の表面に直接形成された直接メッキ層である。この方法では、２色成形体ｄｍ１を用いることで隙間が生じない上に、メッキ層ＰＬの縁と境界ｋ１とが一致する。更に、マスキングが不要とされる。よって、美観及び生産性が向上し、且つ隙間が防止される。
【０１６４】
[樹脂Ｘ]  
電解メッキによってメッキ層が形成されない樹脂が、本願において樹脂Ｘとも称される。この樹脂Ｘとして、ポリスチレン樹脂、ポリカーボネート樹脂、アクリル樹脂及びポリプロピレン樹脂が例示される。
【０１６５】
[樹脂Ｘ１]  
電解メッキによってメッキ層が形成されず且つ透明性を有する樹脂が、本願において樹脂Ｘ１とも称される。すなわち樹脂Ｘ１は、透明性を有する樹脂Ｘである。この樹脂Ｘ１として、ポリカーボネート樹脂、アクリル樹脂及びポリプロピレン樹脂が例示される。透明性に優れるとの観点から、樹脂Ｘ１として、ポリカーボネート樹脂が好ましい。上記実施形態では、透明性部材の材質がポリカーボネート樹脂とされた。樹脂の透明性を生かす観点から、樹脂Ｘは、樹脂Ｘ１であるのが好ましい。透明性部材の材質が樹脂Ｘ１とされてもよい。
【０１６６】
[樹脂Ｙ]  
電解メッキによってメッキ層が形成される樹脂が、本願において樹脂Ｙとも称される。この樹脂Ｙとして、ＡＢＳ樹脂（アクリロニトリル−ブタジエン−スチレン共重合合成樹脂）が好ましい。上記実施形態では、カバー部の材質がＡＢＳ樹脂とされた。樹脂Ｙは透明性を有していても良いが、樹脂選択の自由度の観点から、樹脂Ｙは透明性を有さないのが好ましい。カバー部２０の材質が樹脂Ｙとされてもよい。
【０１６７】
次の（ａ）、（ｂ）、（ｃ）及び（ｄ）を満たす方法が、本願において２色成形電解メッキ法とも称される。
（ａ）２色成形体における上記第一部材の材質が上記樹脂Ｘ及び上記樹脂Ｙから選ばれる一方とされる。
（ｂ）２色成形体における上記第二部材の材質が上記樹脂Ｘ及び上記樹脂Ｙから選ばれる他方とされる。
（ｃ）上記２色成形体に上記電解メッキが施される。
（ｄ）上記第一部材の材質と上記第二部材の材質との差異に起因して、電解メッキ層を有する部分と電解メッキ層を有さない部分とが形成される。
【０１６８】
２色成形法により、部材間の隙間は生じにくい。更に、仮に若干の隙間が生じたとしても、この隙間は電解メッキ層により埋められうる。よって、上記境界ｋ１において、隙間の発生が効果的に防止されうる。更に、マスキングをすることなく、必要な部位にのみメッキ層が形成される。この観点から、カバー部２０と透明性部材とを有する部材が、上記２色成形電解メッキ法によって製造されてもよい。この場合、例えば、カバー部が上記第一部材とされ、透明性部材が上記第二部材とされる。
【０１６９】
上記メッキ層は、単層であってもよいし、複層であってもよい。メッキ層の形成容易性の観点から、複層とされる場合の好ましい最内層は、銅メッキ層である。より好ましくは、複層のメッキ層が、銅メッキ層、ニッケルメッキ層及びクロムメッキ層を含む。より好ましくは、銅メッキ層の外側にニッケルメッキ層及び／又はクロムメッキ層が形成される。より好ましくは、銅メッキ層の外側にニッケルメッキ層が形成され、このニッケルメッキ層の外側にクロムメッキ層が形成される。更に好ましくは、複数のメッキ層が３層構造であり、この３層において、最内層が銅メッキ層であり、中間層がニッケルメッキ層であり、最外層がクロムメッキ層である。ニッケルメッキ層は耐腐食性の向上に効果的である。クロムメッキ層は、光沢性の向上に効果的である。
【０１７０】
図２４は、第三実施形態の水栓装置の一部が示された断面図である。この第三実施形態では、透明性部材ｔ１が用いられている。図２４（ａでは、ボタン部材１４は第一位置Ｐ１にある。図２４（ｂ）では、ボタン部材１４は第二位置Ｐ２にある。本実施形態では、第一外観部ｃ１は、ボタン本体１４ａと一体である。
【０１７１】
図２４（ｂ）の拡大部が示すように、透明性部材ｔ１の表面は凸曲面ｔ１１を有する。後述されるように、この凸曲面ｔ１１は、光の屈曲を実現しうる。後述の通り、この光の屈曲により視認性が向上しうる。なお、見やすさを考慮して、図２４（ｂ）の拡大部では、透明性部材ｔ１のハッチングが省略されている。
【０１７２】
上記凸曲面ｔ１１の曲率半径Ｒ１が過小である場合、反射光がクロスし、表示部ｈ１が見えにくくなることがある。この観点から、曲率半径Ｒ１は、７．５ｍｍ以上が好ましく、８ｍｍ以上がより好ましく、１０ｍｍ以上が更に好ましい。光の屈曲を増加させる観点から、曲率半径Ｒ１は、３０ｍｍ以下が好ましく、２０ｍｍ以下がより好ましく、１５ｍｍ以下が更に好ましい。本実施形態では、曲率半径Ｒ１は２０ｍｍとされた。この曲率半径Ｒ１は、方向Ｘに沿った断面において測定される。
【０１７３】
図２４（ｂ）の拡大部に示されるのは、入射光Ｌｔ１及び反射光Ｌｔ２の例である。入射光Ｌｔ１は破線で示されている。反射光Ｌｔ２は実線で示されている。反射光Ｌｔ２は、表示部ｈ１からの光である。
【０１７４】
図２４（ｂ）の拡大部が示すように、反射光Ｌｔ２は、前方に屈曲された前方屈曲光Ｌｔ２１を含む。すなわち、透明性部材ｔ１は、表示部ｈ１からの光を前方に屈曲させうる。使用者は通常、水栓装置２の前方に位置する。よって前方屈曲光Ｌｔ２１により、使用者の視認性が高まる。
【０１７５】
図２４（ｂ）の拡大部が示すように、反射光Ｌｔ２は、後方に屈曲された後方屈曲光Ｌｔ２２を有する。すなわち、透明性部材ｔ１は、表示部ｈ１からの光を後方に屈曲させうる。使用者の視点は一定ではない。例えば、使用者の身長によって視点は異なる。また、同じ使用者であっても、使用時の視点は一定ではない。後方屈曲光Ｌｔ２２により、多方向からの視認性が高まる。
【０１７６】
前方屈曲光Ｌｔ２１と後方屈曲光Ｌｔ２２とにより、第二外観部ｃ２からの光が拡散しやすい。よって、多方向からの視認性が高まる。
【０１７７】
図２４（ｂ）の拡大部が示すように、入射光Ｌｔ１は、透明性部材ｔ１の中央側に屈曲された中央屈曲光Ｌｔ１１を有する。すなわち、透明性部材ｔ１は、外部からのからの光を中央側に屈曲させうる。よって、表示部ｈ１に照射される光量を増加させることができる。この照射光量の増加により、反射光Ｌｔ２が増加する。よって、視認性が向上する。
【０１７８】
図２５は、透明性部材ｔ１の断面図である。透明性部材ｔ１は、外面ｔ１１、幅拡張部ｔ１２及び内面ｔ１３を有する。上記方向Ｘに沿った断面において、外面ｔ１１は凸曲面（凸状）である。幅拡張部ｔ１２では、外側にいくほどＸ方向の断面幅が大きい。外面ｔ１１のＸ方向幅は、内面ｔ１３のＸ方向幅よりも大きい。この形状により、第二外観部ｃ２のＸ方向幅が小さくても、透明性部材ｔ１を通して見える第二外観部ｃ２の視認性は向上しうる。
【０１７９】
図２４（ａ）及び図２４（ｂ）が示すように、カバー部２０は、表示開口部ｗｄ１を有する。表示開口部ｗｄ１は、第一対向面Ｆ１００を有する。一方、透明性部材ｔ１は、第二対向面Ｆ２００を有する。第一対向面Ｆ１００と第二対向面Ｆ２００とは互いに対向している。第一対向面Ｆ１００と第二対向面Ｆ２００とは互いに接触している。
【０１８０】
図２５が示すように、第二対向面Ｆ２００は、傾斜面Ｆ２０１を有する。図２４（ａ）が示すように、第一対向面Ｆ１００は、傾斜面Ｆ１０１を有する。傾斜面Ｆ１０１の法線の方向は、外方に向かう成分を有する。よって傾斜面Ｆ１０１で反射した光は、使用者によって視認されうる。傾斜面Ｆ１０１により、表示部ｈ１の視認性が向上しうる。
【０１８１】
本実施形態では、第一対向面Ｆ１００の少なくとも一部が、第三の色を呈している。また、第一外観部ｃ１が第一の色を呈しており、第二外観部ｃ２が第二の色を呈している。上記第一の色の明度指数がＬ１であり、上記第二の色の明度指数がＬ２である。上記第三の色の明度指数がＬ３である。上記Ｌ１と上記Ｌ２のうちの大きい方の明度指数がＬｓである。これらの明度指数の好ましい関係については、上述の通りである。
【０１８２】
第一対向面Ｆ１００は、ミラー機能部である。第一対向面Ｆ１００は、透明性部材ｔ１の後方に位置している。よって、第一対向面Ｆ１００で反射した光は、前方に進行しうる。第一対向面Ｆ１００により、前方からの表示部ｈ１の視認性が向上しうる。
【０１８３】
図２４（ａ）及び図２４（ｂ）が示すように、表示開口部ｗｄ１は、第三対向面Ｆ３００を有する。一方、透明性部材ｔ１は、第四対向面Ｆ４００を有する。第三対向面Ｆ３００と第四対向面Ｆ４００とは互いに対向している。第三対向面Ｆ３００と第四対向面Ｆ４００とは互いに接触している。
【０１８４】
図２５が示すように、第四対向面Ｆ４００は、傾斜面Ｆ４０１を有する。図２４（ａ）が示すように、第三対向面Ｆ３００は、傾斜面Ｆ３０１を有する。傾斜面Ｆ３０１の法線の方向は、外方に向かう成分を有する。よって傾斜面Ｆ３０１で反射した光は、使用者によって視認されうる。傾斜面Ｆ３０１により、前方からの表示部ｈ１の視認性が向上しうる。
【０１８５】
第三対向面Ｆ３００は、ミラー機能部である。第三対向面Ｆ３００は、透明性部材ｔ１の前方に位置している。よって、第三対向面Ｆ３００で反射した光は、後方に進行しうる。第三対向面Ｆ３００により、表示部ｈ１を広範囲から視認することが可能とされうる。
【０１８６】
図２６（ａ）、図２６（ｂ）及び図２７は、第四実施形態を示す。図２６（ａ）及び図２６（ｂ）は、ボタン部材１４とカバー部２０との位置関係を示す断面図である。図２６（ａ）では、ボタン部材１４は第一位置Ｐ１にある。図２６（ｂ）では、ボタン部材１４は第二位置Ｐ２にある。
【０１８７】
本実施形態では、透明性部材ｔ２が用いられている。 図２６（ｂ）の拡大部が示すように、透明性部材ｔ２の表面は凹曲面ｔ２１を有する。後述されるように、この凹曲面ｔ２１は、光の屈曲を実現しうる。後述の通り、この光の屈曲により視認性が向上しうる。なお、見やすさを考慮して、図２６（ｂ）の拡大部では、透明性部材ｔ２のハッチングが省略されている。
【０１８８】
上記凹曲面ｔ２１の曲率半径Ｒ２が過小である場合、凹部にゴミ等が溜まって汚れやすくなる。この観点から、曲率半径Ｒ２は、５ｍｍ以上が好ましく、８ｍｍ以上がより好ましく、１０ｍｍ以上が更に好ましい。光の屈曲を増加させる観点から、曲率半径Ｒ２は、５０ｍｍ以下が好ましく、３０ｍｍ以下がより好ましく、２０ｍｍ以下が更に好ましい。本実施形態では、曲率半径Ｒ２は２０ｍｍとされた。この曲率半径Ｒ２は、方向Ｘに沿った断面において測定される。
【０１８９】
図２６（ｂ）の拡大部に示されるのは、入射光Ｌｔ３及び反射光Ｌｔ４の例である。入射光Ｌｔ３は破線で示されている。反射光Ｌｔ４は実線で示されている。反射光Ｌｔ４は、表示部ｈ１からの光である。
【０１９０】
図２６（ｂ）の拡大部が示すように、反射光Ｌｔ４は、前方に屈曲された前方屈曲光Ｌｔ４１を有する。すなわち、透明性部材ｔ２は、表示部ｈ１からの光を前方に屈曲させうる。使用者は通常、水栓装置２の前方に位置する。前方屈曲光Ｌｔ４１により、前方からの表示部ｈ１の視認性が向上する。
【０１９１】
図２６（ｂ）の拡大部が示すように、反射光Ｌｔ４は、後方に屈曲された後方屈曲光Ｌｔ４２を有する。すなわち、透明性部材ｔ２は、表示部ｈ１からの光を後方に屈曲させうる。使用者の視点は一定ではない。例えば、使用者の身長によって視点は異なる。また、同じ使用者であっても、使用時の視点は一定ではない。後方屈曲光Ｌｔ４２により、多方向からの視認性が高まる。
【０１９２】
前方屈曲光Ｌｔ４１と後方屈曲光Ｌｔ４２とにより、第二外観部ｃ２からの光が拡散しやすい。よって、多方向からの視認性が高まる。透明性部材ｔ２の外面ｔ２１の少なくとも一部が凹状であることにより、表示部ｈ１の視認性が向上しうる。
【０１９３】
図２６（ｂ）の拡大部が示すように、入射光Ｌｔ３は、透明性部材ｔ２の両縁側に屈曲された両縁屈曲光Ｌｔ３１を有する。すなわち、透明性部材ｔ２は、外部からのからの光を両縁側に屈曲させうる。よって、表示部ｈ１の両縁側に照射される光量を増加させることができる。この照射光量の増加により、外面ｔ２１の両縁部に多くの光が集まる。よって、透明性部材ｔ２を通して見える第二外観部ｃ２の視認性が高まる。
【０１９４】
図２７は、透明性部材ｔ２の断面図である。透明性部材ｔ２は、外面ｔ２１、幅拡張部ｔ２２及び内面ｔ２３を有する。上記方向Ｘに沿った断面において、外面ｔ２１は凹曲面（凹状）である。幅拡張部ｔ２２では、外側にいくほどＸ方向の断面幅が大きい。外面ｔ２１のＸ方向幅は、内面ｔ２３のＸ方向幅よりも大きい。この形状により、第二外観部ｃ２のＸ方向幅が小さくても、透明性部材ｔ２を通して見える第二外観部ｃ２の視認性は向上しうる。
【０１９５】
図２６（ａ）及び図２６（ｂ）が示すように、カバー部２０は、表示開口部ｗｄ１を有する。表示開口部ｗｄ１は、第一対向面Ｆ１００を有する。一方、透明性部材ｔ２は、第二対向面Ｆ２００を有する。第一対向面Ｆ１００と第二対向面Ｆ２００とは互いに対向している。第一対向面Ｆ１００と第二対向面Ｆ２００とは互いに接触している。
【０１９６】
図２７が示すように、第二対向面Ｆ２００は、傾斜面Ｆ２０１を有する。図２６（ａ）が示すように、第一対向面Ｆ１００は、傾斜面Ｆ１０１を有する。傾斜面Ｆ１０１の法線の方向は、外方に向かう成分を有する。よって傾斜面Ｆ１０１で反射した光は、使用者によって視認されうる。傾斜面Ｆ１０１により、表示部ｈ１の視認性が向上しうる。
【０１９７】
本実施形態でも、第一対向面Ｆ１００の少なくとも一部が、上記第三の色を呈している。また、第一外観部ｃ１が第一の色を呈しており、第二外観部ｃ２が第二の色を呈している。上記第一の色の明度指数がＬ１であり、上記第二の色の明度指数がＬ２である。上記第三の色の明度指数がＬ３である。上記Ｌ１と上記Ｌ２のうちの大きい方の明度指数がＬｓである。これらの明度指数の好ましい関係については、上述の通りである。
【０１９８】
第一対向面Ｆ１００は、ミラー機能部である。第一対向面Ｆ１００は、透明性部材ｔ２の後方に位置している。よって、第一対向面Ｆ１００で反射した光は、前方に進行しうる。第一対向面Ｆ１００により、前方からの表示部ｈ１の視認性が向上しうる。
【０１９９】
図２６（ａ）及び図２６（ｂ）が示すように、表示開口部ｗｄ１は、第三対向面Ｆ３００を有する。一方、透明性部材ｔ２は、第四対向面Ｆ４００を有する。第三対向面Ｆ３００と第四対向面Ｆ４００とは互いに対向している。第三対向面Ｆ３００と第四対向面Ｆ４００とは互いに接触している。
【０２００】
第三対向面Ｆ３００の少なくとも一部が、上記第三の色を呈している。よって、第三対向面Ｆ３００によるミラー効果が高められている。
【０２０１】
図２７が示すように、第四対向面Ｆ４００は、傾斜面Ｆ４０１を有する。図２６（ａ）が示すように、第三対向面Ｆ３００は、傾斜面Ｆ３０１を有する。傾斜面Ｆ３０１の法線の方向は、外方に向かう成分を有する。よって傾斜面Ｆ３０１で反射した光は、使用者によって視認されうる。傾斜面Ｆ３０１により、前方からの表示部ｈ１の視認性が向上しうる。
【０２０２】
第三対向面Ｆ３００は、ミラー機能部である。第三対向面Ｆ３００は、透明性部材ｔ２の前方に位置している。よって、第三対向面Ｆ３００で反射した光は、後方に進行しうる。第三対向面Ｆ３００により、表示部ｈ１を広範囲から視認することが可能とされうる。
【０２０３】
図２８及び図２９は、第五実施形態を示す。説明は省略されるが、この第五実施形態でも、上記第三実施形態と同様に、第一対向面Ｆ１００、第二対向面Ｆ２００、第三対向面Ｆ３００及び第四対向面Ｆ４００が設けられている。本実施形態でも、上述のミラー効果が発揮されうる。
【０２０４】
図２８は、操作部１４及びカバー部２０の斜視図である。この実施形態では、透明性部材ｔ３が用いられている。
【０２０５】
図２９は、操作部１４が第二位置Ｐ２にあるときの、ボタン部材１４及びカバー部２０の断面図である。この透明性部材ｔ３の外面には、凸部ｔ３３が設けられている。この凸部ｔ３３は、透明性部材ｔ３の長手方向に沿って延在している。この凸部ｔ３３は、表示部ｈ１からの透過光を拡散させうる拡散機能面を形成している。この拡散により、多方向からの視認性が向上しうる。表示部ｈ１の視認性を高める観点から、透明性部材ｔ３は、表示部ｈ１からの透過光を拡散させうるのが好ましい。
【０２０６】
凸部ｔ３３は、透明性部材ｔ３のＸ方向中央位置に設けられている。この配置により、凸部ｔ３３による光の拡散効果が高まる。
【０２０７】
第五実施形態において、透明性部材ｔ３の外面は、凸曲面ｔ３１と凸部ｔ３３との組み合わせである。図３０（ａ）は、第六実施形態の断面図である。図３０（ｂ）は、第七実施形態の断面図である。図３０（ｃ）は、第八実施形態の断面図である。
【０２０８】
これら第六から第八実施形態でも、上記第三実施形態と同様に、第一対向面Ｆ１００、第二対向面Ｆ２００、第三対向面Ｆ３００及び第四対向面Ｆ４００が設けられている。これら第六から第八実施形態でも、上述のミラー効果が発揮されうる。
【０２０９】
図３０（ａ）の実施形態において、透明性部材ｔ４の外面は、凸曲面ｔ４１と凹部ｔ４３との組み合わせである。この凹部ｔ４３は、透明性部材ｔ４の長手方向に沿って延在している。凹部ｔ４３は、透明性部材ｔ４の長手方向の全体に亘って延在している。図３０（ｂ）の実施形態において、透明性部材ｔ５の外面は、凹曲面ｔ５１と凸部ｔ５３との組み合わせである。この凸部ｔ５３は、透明性部材ｔ５の長手方向に沿って延在している。凸部ｔ５３は、透明性部材ｔ５の長手方向の全体に亘って延在している。図３０（ｃ）の実施形態において、透明性部材ｔ６の外面は、凹曲面ｔ６１と凹部ｔ６３との組み合わせである。この凹部ｔ６３は、透明性部材ｔ６の長手方向に沿って延在している。凹部ｔ６３は、透明性部材ｔ６の長手方向の全体に亘って延在している。これらの実施形態でも表示部ｈ１からの光が効果的に拡散され、視認性が高まる。
【０２１０】
凹部ｔ４３は、透明性部材ｔ４のＸ方向中央位置に設けられている。この配置により、凹部ｔ４３による光の拡散効果が高まる。凸部ｔ５３は、透明性部材ｔ５のＸ方向中央位置に設けられている。この配置により、凸部ｔ５３による光の拡散効果が高まる。凹部ｔ６３は、透明性部材ｔ６のＸ方向中央位置に設けられている。この配置により、凹部ｔ６３による光の拡散効果が高まる。
【０２１１】
図３１（ａ）は、透明性部材に設置されうる凸部の他の例である。好ましくは、この凸部ｐ１は、透明性部材の外面に複数（多数）設けられる。この凸部ｐ１の表面は、表示部ｈ１からの透過光を拡散させうる拡散機能面である。この拡散は乱拡散である。この拡散により、表示部ｈ１に視認性が高まる。このように、透明性部材の外面の少なくとも一部が凸状とされることで、表示部ｈ１の視認性が向上しうる。
【０２１２】
図３１（ｂ）は、透明性部材に設置されうる凹部の他の例である。好ましくは、この凹部ｒ１は、透明性部材の外面に複数（多数）設けられる。この凹部ｒ１の表面は、表示部ｈ１からの透過光を拡散させうる拡散機能面である。この拡散は乱拡散である。この拡散により、表示部ｈ１に視認性が高まる。このように、透明性部材の外面の少なくとも一部が凹状とされることで、表示部ｈ１の視認性が向上しうる。
【０２１３】
上記拡散機能面は、例えば、上記凸部又は凹部の表面である。拡散機能面として、傾斜面、水平面、垂直面又はこれらの組み合わせが挙げられる。拡散機能面は、平面であってもよいし、曲面であってもよい。拡散機能面は、凹面であってもよいし、凸面であってもよい。上述した凸部ｔ３３は、拡散機能面を有する凸状部分の一例である。上述した凸部ｐ１は、拡散機能面を有する凸状部分の他の一例である。上述した凹部ｔ４３は、拡散機能面を有する凹状部分の一例である。上述した凹部ｒ１は、拡散機能面を有する凹状部分の他の一例である。これらの凸部及び凸部は、拡散機能面が斜面のみとされた例である。
【０２１４】
上記実施形態の全てにおいて、表示開口部ｗｄ１は、環状に沿って延在した環状開口部を有している。上記実施形態の全てにおいて、表示開口部ｗｄ１の全体が環状開口部ｗｃ１である（図３参照）。この環状開口部ｗｃ１は、円周面に沿って延在している。この環状開口部ｗｃ１は、延在方向の１箇所又は２箇所以上において途切れていても良い。上記実施形態の環状開口部ｗｃ１は、延在方向の１箇所（下部）において途切れている（図７参照）。環状開口部ｗｃ１により、表示部ｈ１が目立つ。環状開口部ｗｃ１により、表示部ｈ１は多方向から視認される。環状開口部ｗｃ１により、表示部ｈ１の視認性が高まる。
【０２１５】
上記実施形態の全てにおいて、透明性部材ｔ１は、環状開口部ｗｃ１に沿って延在する環状透明部ｔｃ１を有している。上記実施形態の全てにおいて、透明性部材の全体が環状透明部ｔｃ１である。この環状透明部ｔｃ１は、延在方向の１箇所又は２箇所以上において途切れていても良い。上記実施形態の環状透明部ｔｃ１は、延在方向の１箇所（下部）において途切れている。環状透明部ｔｃ１により、表示部ｈ１が目立つ。環状透明部ｔｃ１により、表示部ｈ１は多方向から視認される。環状透明部ｔｃ１により、表示部ｈ１の視認性が高まる。
【０２１６】
図１１は、上方向に投影された上投影図である。この上方向は、上記方向Ｘに対して垂直である。この上投影図において、カバー部２０の幅がＷ１とされ、環状開口部ｗｃ１の長さＬａの合計がＬｔ１とされる。視認性を高める観点から、Ｌｔ１／Ｗ１は、０．３以上が好ましく、０．５以上がより好ましく、０．７以上が更に好ましい。なお、幅Ｗ１は、環状開口部ｗｃ１に隣接した境界位置において測定される。また、幅Ｗ１の測定値が複数存在する場合、平均値が採用される。この上投影図では、環状開口部ｗｃ１が１箇所であるから、長さＬａは合計長さＬｔ１に等しい。図１１の実施形態では、Ｌｔ１／Ｗ１は１である。
【０２１７】
図８は、右方向に投影された右投影図である。この右方向は、上記方向Ｘに対して垂直である。この右投影図において、カバー部２０の幅がＷ２とされ、環状開口部ｗｃ１の長さＬｂの合計がＬｔ２とされる。視認性を高める観点から、Ｌｔ２／Ｗ２は、０．３以上が好ましく、０．５以上がより好ましく、０．７以上が更に好ましい。なお、幅Ｗ２は、環状開口部ｗｃ１に隣接した境界位置において測定される。また、幅Ｗ２の測定値が複数存在する場合、平均値が採用される。この右投影図では、環状開口部ｗｃ１が１箇所であるから、長さＬｂは合計長さＬｔ２に等しい。図８の実施形態では、Ｌｔ２／Ｗ２は、ほぼ１である。
【０２１８】
図示されないが、左方向に投影された左投影図が定義される。本実施形態では、図８が左右反転された図面が左投影図である。この投影方向（左方向）は、上記方向Ｘに対して垂直である。この左投影図において、カバー部２０の幅がＷ３とされ、環状開口部ｗｃ１の長さＬｃの合計がＬｔ３とされる。視認性を高める観点から、Ｌｔ３／Ｗ３は、０．３以上が好ましく、０．５以上がより好ましく、０．７以上が更に好ましい。なお、幅Ｗ３は、環状開口部ｗｃ１に隣接した境界位置において測定される。また、幅Ｗ３の測定値が複数存在する場合、平均値が採用される。この左投影図では、環状開口部ｗｃ１が１箇所であるから、長さＬｃは合計長さＬｔ３に等しい。本実施形態では、Ｌｔ３／Ｗ３は、Ｌｔ２／Ｗ２と同じである。
【０２１９】
図７は、下方向に投影された下投影図である。この下方向は、上記方向Ｘに対して垂直である。この下投影図において、カバー部２０の幅がＷ４とされ、環状開口部ｗｃ１の長さＬｄの合計がＬｔ４とされる。視認性を高める観点から、Ｌｔ４／Ｗ４は、０．３以上が好ましく、０．５以上がより好ましく、０．７以上が更に好ましい。なお、幅Ｗ４は、環状開口部ｗｃ１に隣接した境界位置において測定される。また、幅Ｗ４の測定値が複数存在する場合、平均値が採用される。この下投影図では、環状開口部ｗｃ１が２箇所であるから、長さＬｔ４は、２箇所の長さＬｄの合計である。図７の実施形態では、Ｌｔ４／Ｗ４は、０．８である。
【０２２０】
上記実施形態のいずれかが奏しうる効果として、以下が例示される。
（効果１）ミラー機能部ＭＲ１によるミラー効果により、視認性が向上する。
（効果２）透明性部材の後方に設けられたミラー機能部ＭＲ１により、前方からの視認性が向上する。
（効果３）透明性部材の前方に設けられたミラー機能部ＭＲ１により、多方向からの視認性が向上する。
（効果４）透明性部材の下方に設けられたミラー機能部ＭＲ１により、反射光が増加し、視認性が向上する。
（効果５）カバー部２０の色を調整することで、第一対向面Ｆ１の明度指数Ｌ３を変更することができる。
（効果６）明度指数Ｌ３を低くすることで、ミラー効果を高めることができる。
（効果７）明度指数Ｌ１とＬ２との差異を大きくすることで、吐水状態を容易に認識することができる。
（効果８）手で操作されるボタン部材１４には表示開口部がない。よって、手の接触による表示開口部の汚れが抑制され、耐汚れ性及び耐久性が向上する。
（効果９）ボタン部材１４の移動が表示部ｈ１の移動でもあり、構造がシンプルである。このため、使用の繰り返し及び組み立ての誤差による表示部ｈ１の位置ズレが生じにくい。また、シンプルな構造により、生産性が向上し、コストが低減する。
（効果１０）表示開口部ｗｄ１に透明性部材ｔ１が設けられているため、表示開口部ｗｄ１にゴミ等が溜まることが抑制される。また、開口部である表示開口部ｗｄ１が透明性部材ｔ１によって補強され、カバー部２０の強度が高まる。
（効果１１）表示部ｈ１からの光が前方に屈曲されるため、水栓装置２の使用者の視点に表示部ｈ１からの光が到達しやすい。よって表示部ｈ１の視認性が向上しうる。
（効果１２）透明性部材に凸状及び／又は凹状の部分を設けることで、表示部ｈ１の視認性が向上しうる。
（効果１３）拡散機能面により、多方向からの表示部ｈ１の視認性が向上しうる。
（効果１４）ボタン部材１４の位置に関わらず、第一外観部ｃ１及び第二外観部ｃ２はカバー部２０又は透明性部材ｔ１で覆われている。ボタン部材１４の操作中において、第一外観部ｃ１及び第二外観部ｃ２への接触は生じない。よって、第一外観部ｃ１及び第二外観部ｃ２が汚れにくく、視認性が長期間維持されうる。
【０２２１】
前述した特許第４２９８３１９号公報では、表示部分が回転式であるため、構造が複雑となり、繰り返しの使用による故障及びコストの上昇が生じやすい。また、前面に表示開口部があるため、操作の際の接触により表示開口部が汚れやすい。上記実施形態では、先行文献と比較して有利な効果が奏される。
【０２２２】
本願には、請求項（独立形式請求項を含む）に係る発明に含まれない他の発明も記載されている。本願の請求項及び実施形態に記載されたそれぞれの形態、部材、構成等は、それぞれが有する作用効果に基づく発明として認識される。
【０２２３】
上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【産業上の利用可能性】
【０２２４】
以上説明された方法は、あらゆる用途の水栓に用いられ得る。
【符号の説明】
【０２２５】
Ｔ１、Ｔ２、ｔ１、ｔ２、ｔ３、ｔ４、ｔ５、ｔ６・・・透明性部材
ＭＲ１・・・ミラー機能部
Ｆ１、Ｆ１００・・・第一対向面
Ｆ２、Ｆ２００・・・第二対向面
Ｆ３、Ｆ３００・・・第三対向面
Ｆ４、Ｆ４００・・・第四対向面
Ｆ５・・・透明性部材の前面
ｃ１・・・第一外観部
ｃ２・・・第二外観部
ｈ１・・・表示部
ｗｄ１・・・表示開口部
２・・・水栓装置
４・・・本体部
６・・・レバーハンドル
８・・・吐出部
１０・・・導水部
１２・・・切替部
１４・・・ボタン部材
１６・・・水形調整部
１８・・・吐出口
２０・・・カバー部
２２・・・押圧面
２４・・・カバー部の側面
３４・・・押しボタン機構
６８・・・浄水カートリッジ
７０Ｂ・・・浄水流路（流路Ｂ）
７２・・・水質浄化部
７６Ａ・・・原水流路（流路Ａ）
１００・・・切替機構
１０１・・・第一バルブ
１０１ａ・・・弁座１０１ａ
１０１ｂ・・・第一弁体（ボール）  
１０２・・・第二バルブ
１０３・・・第三バルブ
１１０・・・軸部材
１１２・・・第二弁体
１１３・・・第三弁体
【図１】
2014043728.tif 000003
【図２】
2014043728.tif 000004
【図３】
2014043728.tif 000005
【図４】
2014043728.tif 000006
【図５】
2014043728.tif 000007
【図６】
2014043728.tif 000008
【図７】
2014043728.tif 000009
【図８】
2014043728.tif 000010
【図９】
2014043728.tif 000011
【図１０】
2014043728.tif 000012
【図１１】
2014043728.tif 000013
【図１２】
2014043728.tif 000014
【図１３】
2014043728.tif 000015
【図１４】
2014043728.tif 000016
【図１５】
2014043728.tif 000017
【図１６】
2014043728.tif 000018
【図１７】
2014043728.tif 000019
【図１８】
2014043728.tif 000020
【図１９】
2014043728.tif 000021
【図２０】
2014043728.tif 000022
【図２１】
2014043728.tif 000023
【図２２】
2014043728.tif 000024
【図２３】
2014043728.tif 000025
【図２４】
2014043728.tif 000026
【図２５】
2014043728.tif 000027
【図２６】
2014043728.tif 000028
【図２７】
2014043728.tif 000029
【図２８】
2014043728.tif 000030
【図２９】
2014043728.tif 000031
【図３０】
2014043728.tif 000032
【図３１】
2014043728.tif 000033